(57)【要約】  アクセスネットワーク間のアクセス端末ハンドオフを可能にするための方法および装置を提供する。本方法は、第１のアクセスネットワーク（ＡＮ）においてアクセス端末からのアクセスチャネルメッセージを受信することであって、アクセスチャネルメッセージが、第２のＡＮとアクセス端末との間の通信セッションに対応する情報を含み、通信セッションが、第２のＡＮとネゴシエートされたアクティブパーソナリティを少なくとも含む、受信することと、第１のＡＮによって前にネゴシエートされた、アクセス端末に関連する少なくとも１つのパーソナリティを取得することと、少なくとも１つのパーソナリティのうちの１つがアクティブパーソナリティと実質的に同様であるかどうかを判断することと、少なくとも１つのパーソナリティのうちの１つがアクティブパーソナリティと実質的に同様であると判断されると、アクティブパーソナリティと実質的に同様のパーソナリティとともに通信セッションを第１のＡＮに転送することとを備えることができる。
2011524685.tif 000002
【特許請求の範囲】
【請求項１】
アクセスネットワーク間のアクセス端末ハンドオフを可能にする方法であって、
第１のアクセスネットワーク（ＡＮ）においてアクセス端末からのアクセスチャネルメッセージを受信することであって、前記アクセスチャネルメッセージが、第２のＡＮと前記アクセス端末との間の通信セッションに対応する情報を含み、前記通信セッションが、前記第２のＡＮとネゴシエートされたアクティブパーソナリティを少なくとも含む、受信することと、
前記第１のＡＮによって前にネゴシエートされた、前記アクセス端末に関連する少なくとも１つのパーソナリティを取得することと、
前記少なくとも１つのパーソナリティのうちの１つが前記アクティブパーソナリティと実質的に同様であるかどうかを判断することと、
前記少なくとも１つのパーソナリティのうちの１つが前記アクティブパーソナリティと実質的に同様であると判断されると、前記アクティブパーソナリティと実質的に同様のパーソナリティとともに前記通信セッションを前記第１のＡＮに転送することと
を備える方法。
【請求項２】
前記第２のＡＮから、前記第２のＡＮと前記ＡＴとの間の前記通信セッションに対応するセッション情報を受信することであって、前記セッション情報が、第２のＡＮとネゴシエートされた少なくとも１つの非アクティブパーソナリティのインデックスを備える、受信することと、
少なくとも１つの非アクティブパーソナリティの前記インデックスのうちのいずれかが、前記第１のＡＮによって前にネゴシエートされた前記少なくとも１つの取得されたパーソナリティのうちのいずれかと実質的に同様であるかどうかを判断することと、
少なくとも１つの非アクティブパーソナリティの前記インデックスのうちの１つが前記少なくとも１つの取得されたパーソナリティのうちの１つと実質的に同様であると判断されると、前記第２のＡＮにおいて、前記ＡＴとの前記通信セッションに関連付けるべき前記実質的に同様の非アクティブパーソナリティでポピュレートされた新しいインデックスを発生することと、
前記実質的に同様の非アクティブパーソナリティを再インデックス付けするための命令を前記アクセス端末に送信することと
をさらに備える、請求項１に記載の方法。
【請求項３】
前記第１のＡＮから前記第２のＡＮにセッション情報要求を送信することであって、前記セッション情報要求が、前記第２のＡＮと前記ＡＴとの間の前記通信セッションに対応する情報と、前記第２のＡＮと前記ＡＴとの間の前記通信セッション中にインデックス付けされた非アクティブパーソナリティとの要求を含む、送信すること
をさらに備える、請求項２に記載の方法。
【請求項４】
前記新しいインデックスを発生することが、前記第１のＡＮと前記ＡＴとの間の前記通信セッション中にネゴシエートされた前記非アクティブパーソナリティ中のプロトコルの一部をハードリンクすることを含む、請求項２に記載の方法。
【請求項５】
前記通信セッションが１ｘＥＶ−ＤＯ通信セッションをさらに備える、請求項１に記載の方法。
【請求項６】
前記アクセスチャネルメッセージがユニキャストアクセス端末識別子またはセッション構成トークンのうちの少なくとも１つを含み、前記セッション構成トークンが、前記ＡＴを識別する情報を含む、請求項１に記載の方法。
【請求項７】
前記通信セッションを前記第１のＡＮに転送することが、
前記アクティブパーソナリティのための前記新しい通信セッションインデックスが、前記第２のＡＮと前記ＡＴとの間の前記通信セッションのための前記通信セッションインデックスと同じインデックスを有するかどうかを判断することと、
前記通信セッションが、前記アクティブパーソナリティのための前記インデックスと同じインデックスを有しないと判断されると、前記アクティブパーソナリティのための前記新しい通信セッションインデックスに切り替えることによって前記アクティブパーソナリティを維持するための命令を前記ＡＴに送信することと
をさらに備える、請求項１に記載の方法。
【請求項８】
前記新しい通信セッションインデックスが、前記第２のＡＮとネゴシエートされたパーソナリティに対応しないパーソナリティを含むかどうかを判断することと、
前記新しい通信セッションインデックスが、前記第２のＡＮとネゴシエートされたパーソナリティに対応しないパーソナリティを含むと判断されると、前記新しい通信セッションインデックス付きパーソナリティのためのセッションを前記第１のＡＮとネゴシエートするための命令であって、追加すべき前記パーソナリティが前記アクティブパーソナリティまたは再インデックス付けされた非アクティブパーソナリティを含まない、命令と、前記第２のＡＮと前記ＡＴとの間の前記通信セッションに対応し、前記新しい通信セッションインデックス付きパーソナリティと実質的に同様でなかった残りのパーソナリティを削除するための命令とを前記アクセス端末に送信することと
をさらに備える、請求項２に記載の方法。
【請求項９】
前記新しい通信セッションインデックスが、前記第２のＡＮと前記ＡＴとの間の前記通信セッションよりも少ないパーソナリティをインデックス付けするように構成されたかどうかを判断することと、
前記新しい通信セッションインデックスが、前記第２のＡＮと前記ＡＴとの間の前記通信セッションよりも少ないパーソナリティをインデックス付けするように構成されたと判断されると、前記第２のＡＮと前記ＡＴとの間の前記通信セッション中にインデックス付けされたパーソナリティと実質的に同様でなかった残りの新しい通信セッションインデックス付きパーソナリティのためのセッションを前記第１のＡＮとネゴシエートするための命令と、前記第１のＡＮと前記ＡＴとの間の前記新しい通信セッションインデックス中にインデックス付けされたパーソナリティと実質的に同様でない、前記第２のＡＮと前記ＡＴとの間の前記通信セッション中にインデックス付けされた残りのパーソナリティを削除するための命令とを前記アクセス端末に送信することと
をさらに備える、請求項２に記載の方法。
【請求項１０】
アクセスネットワーク間のアクセス端末ハンドオフを可能にするように構成された少なくとも１つのプロセッサであって、
第１のアクセスネットワーク（ＡＮ）においてアクセス端末からのアクセスチャネルメッセージを受信するための第１のモジュールであって、前記アクセスチャネルメッセージが、第２のＡＮと前記アクセス端末との間の通信セッションに対応する情報を含み、前記通信セッションが、前記第２のＡＮとネゴシエートされたアクティブパーソナリティを少なくとも含む、第１のモジュールと、
前記第１のＡＮによって前にネゴシエートされた、前記アクセス端末に関連する少なくとも１つのパーソナリティを取得するための第２のモジュールと、
前記少なくとも１つのパーソナリティのうちの１つが前記アクティブパーソナリティと実質的に同様であるかどうかを判断するための第３のモジュールと、
前記少なくとも１つのパーソナリティのうちの１つが前記アクティブパーソナリティと実質的に同様であると判断されると、前記アクティブパーソナリティと実質的に同様のパーソナリティとともに前記通信セッションを前記第１のＡＮに転送するための第４のモジュールと
を備えるプロセッサ。
【請求項１１】
第１のアクセスネットワーク（ＡＮ）においてアクセス端末からのアクセスチャネルメッセージを受信することをコンピュータに行わせるためのコードの第１のセットであって、前記アクセスチャネルメッセージが、第２のＡＮと前記アクセス端末との間の通信セッションに対応する情報を含み、前記通信セッションが、前記第２のＡＮとネゴシエートされたアクティブパーソナリティを少なくとも含む、コードの第１のセットと、
前記第１のＡＮによって前にネゴシエートされた、前記アクセス端末に関連する少なくとも１つのパーソナリティを取得することをコンピュータに行わせるためのコードの第２のセットと、
前記少なくとも１つのパーソナリティのうちの１つが前記アクティブパーソナリティと実質的に同様であるかどうかを判断することを前記コンピュータに行わせるためのコードの第３のセットと、
前記少なくとも１つのパーソナリティのうちの１つが前記アクティブパーソナリティと実質的に同様であると判断されると、前記アクティブパーソナリティと実質的に同様のパーソナリティとともに前記通信セッションを前記第１のＡＮに転送することを前記コンピュータに行わせるためのコードの第４のセットと
を備えるコンピュータ可読媒体を備えるコンピュータプログラム製品。
【請求項１２】
第１のアクセスネットワーク（ＡＮ）においてアクセス端末からのアクセスチャネルメッセージを受信するための手段であって、前記アクセスチャネルメッセージが、第２のＡＮと前記アクセス端末との間の通信セッションに対応する情報を含み、前記通信セッションが、前記第２のＡＮとネゴシエートされたアクティブパーソナリティを少なくとも含む、受信するための手段と、
前記第１のＡＮによって前にネゴシエートされた、前記アクセス端末に関連する少なくとも１つのパーソナリティを取得するための手段と、
前記少なくとも１つのパーソナリティのうちの１つが前記アクティブパーソナリティと実質的に同様であるかどうかを判断するための手段と、
前記少なくとも１つのパーソナリティのうちの１つが前記アクティブパーソナリティと実質的に同様であると判断されると、前記アクティブパーソナリティと実質的に同様のパーソナリティとともに前記通信セッションを前記第１のＡＮに転送するための手段と
を備える装置。
【請求項１３】
アクセスネットワーク間のアクセス端末ハンドオフを可能にするための装置であって、
第１のアクセスネットワーク（ＡＮ）においてアクセス端末からのアクセスチャネルメッセージを受信するように動作可能な受信機であって、前記アクセスチャネルメッセージが、第２のＡＮと前記アクセス端末との間の通信セッションに対応する情報を含み、前記通信セッションが、前記第２のＡＮとネゴシエートされたアクティブパーソナリティを少なくとも含む、受信機と、
前記第１のＡＮによって前にネゴシエートされた、前記アクセス端末に関連する少なくとも１つのパーソナリティを取得することと、
前記少なくとも１つのパーソナリティのうちの１つが前記アクティブパーソナリティと実質的に同様であるかどうかを判断することと、
前記少なくとも１つのパーソナリティのうちの１つが前記アクティブパーソナリティと実質的に同様であると判断されると、前記アクティブパーソナリティと実質的に同様のパーソナリティとともに前記通信セッションを前記第１のＡＮに転送することと
を行うように動作可能なパーソナリティマネージャと
を備える装置。
【請求項１４】
前記受信機が、前記第２のＡＮから、前記第２のＡＮと前記ＡＴとの間の前記通信セッションに対応するセッション情報を受信するようにさらに動作可能であり、前記セッション情報が、第２のＡＮとネゴシエートされた少なくとも１つの非アクティブパーソナリティのインデックスを備え、
前記パーソナリティマネージャが、
少なくとも１つの非アクティブパーソナリティの前記インデックスのうちのいずれかが、前記第１のＡＮによって前にネゴシエートされた前記少なくとも１つの取得されたパーソナリティのうちのいずれかと実質的に同様であるかどうかを判断することと、
少なくとも１つの非アクティブパーソナリティの前記インデックスのうちの１つが前記少なくとも１つの取得されたパーソナリティのうちの１つと実質的に同様であると判断されると、前記第２のＡＮにおいて、前記ＡＴとの前記通信セッションに関連付けるべき前記実質的に同様の非アクティブパーソナリティでポピュレートされた新しいインデックスを発生することと
を行うように動作可能であり、
前記実質的に同様の非アクティブパーソナリティを再インデックス付けするための命令を前記アクセス端末に送信するように動作可能な送信機を備える、
請求項１３に記載の装置。
【請求項１５】
前記送信機が、前記第１のＡＮから前記第２のＡＮにセッション情報要求を送信するように動作可能であり、前記セッション情報要求が、前記第２のＡＮと前記ＡＴとの間の前記通信セッションに対応する情報と、前記第２のＡＮと前記ＡＴとの間の前記通信セッション中にインデックス付けされた非アクティブパーソナリティとの要求を含む、
請求項１４に記載の装置。
【請求項１６】
前記新しいインデックスを発生することが、第１のＡＮインデックスからの前記実質的に同様の非アクティブパーソナリティを前記第１のＡＮと前記ＡＴとの間の前記通信セッション中にハードリンクストリーミングすることを含む、請求項１４に記載の装置。
【請求項１７】
前記通信セッションが１ｘＥＶ−ＤＯ通信セッションをさらに備える、請求項１３に記載の装置。
【請求項１８】
前記アクセスチャネルメッセージが、前記第１のＡＮと前記ＡＴとの間の前記通信セッション中にネゴシエートされた前記非アクティブパーソナリティ中のプロトコルの一部をハードリンクすることを含む、請求項１３に記載の装置。
【請求項１９】
前記アクティブパーソナリティのための前記新しい通信セッションインデックスが、前記第２のＡＮと前記ＡＴとの間の前記通信セッションのための前記通信セッションインデックスと同じインデックスを有するかどうかを判断するように前記パーソナリティマネージャがさらに動作可能であり、
前記通信セッションが、前記アクティブパーソナリティのための前記インデックスと同じインデックスを有しないと判断されると、前記アクティブパーソナリティのための前記新しい通信セッションインデックスに切り替えることによって前記アクティブパーソナリティを維持するための命令を前記アクセス端末に送信するように前記送信機がさらに動作可能である、
請求項１３に記載の装置。
【請求項２０】
前記パーソナリティマネージャが、
前記新しい通信セッションインデックスが、前記第２のＡＮとネゴシエートされたパーソナリティに対応しないパーソナリティを含むかどうかを判断することと、
前記新しい通信セッションインデックスが、前記第２のＡＮとネゴシエートされたパーソナリティに対応しないパーソナリティを含むと判断されると、前記新しい通信セッションインデックス付きパーソナリティのためのセッションを前記第１のＡＮとネゴシエートするための命令であって、追加すべき前記パーソナリティが前記アクティブパーソナリティまたは再インデックス付けされた非アクティブパーソナリティを含まない、命令と、前記第２のＡＮと前記ＡＴとの間の前記通信セッションに対応し、前記新しい通信セッションインデックス付きパーソナリティと実質的に同様でなかった残りのパーソナリティを削除するための命令とを前記アクセス端末に送信することと
を行うようにさらに動作可能である、請求項１４に記載の装置。
【請求項２１】
前記パーソナリティマネージャが、
前記新しい通信セッションインデックスが、前記第２のＡＮと前記ＡＴとの間の前記通信セッションよりも少ないパーソナリティをインデックス付けするように構成されたかどうかを判断することと、
前記新しい通信セッションインデックスが、前記第２のＡＮと前記ＡＴとの間の前記通信セッションよりも少ないパーソナリティをインデックス付けするように構成されたと判断されると、前記第２のＡＮと前記ＡＴとの間の前記通信セッション中にインデックス付けされたパーソナリティと実質的に同様でなかった残りの新しい通信セッションインデックス付きパーソナリティのためのセッションを前記第１のＡＮとネゴシエートするための命令と、前記第１のＡＮと前記ＡＴとの間の前記新しい通信セッションインデックス中にインデックス付けされたパーソナリティと実質的に同様でない、前記第２のＡＮと前記ＡＴとの間の前記通信セッション中にインデックス付けされた残りのパーソナリティを削除するための命令とを前記アクセス端末に送信することと
を行うようにさらに動作可能である、請求項１４に記載の装置。
【請求項２２】
アクセスネットワーク間のハンドオフ中にアクセス端末によるパーソナリティ修正を可能にする方法であって、
アクセス端末からのアクセスチャネルメッセージを第１のアクセスネットワーク（ＡＮ）に送信することであって、前記アクセスチャネルメッセージが、第２のＡＮと前記アクセス端末との間の通信セッションに対応する情報を含み、前記通信セッションが、前記第２のＡＮとネゴシエートされたアクティブパーソナリティを少なくとも含む、送信することと、
前記アクティブパーソナリティのための新しい通信セッションインデックスに切り替えることによって前記アクティブパーソナリティを維持するための命令を前記第１のＡＮから受信することと
を備える方法。
【請求項２３】
実質的に同様の非アクティブパーソナリティを再インデックス付けするための命令を前記第１のＡＮから受信すること
をさらに備える、請求項２２に記載の方法。
【請求項２４】
前記通信セッションが１ｘＥＶ−ＤＯ通信セッションをさらに備える、請求項２２に記載の方法。
【請求項２５】
前記アクセスチャネルメッセージがユニキャストアクセス端末識別子またはセッション構成トークンのうちの少なくとも１つを含み、前記セッション構成トークンが、前記ＡＴを識別する情報を含む、請求項２２に記載の方法。
【請求項２６】
前記新しい通信セッションインデックス付きパーソナリティのためのセッションを前記第１のＡＮとネゴシエートするための命令であって、追加すべき前記パーソナリティが前記アクティブパーソナリティまたは再インデックス付けされた非アクティブパーソナリティを含まない、命令と、前記第２のＡＮと前記ＡＴとの間の前記通信セッションに対応し、前記新しい通信セッションインデックス付きパーソナリティと実質的に同様でなかった残りのパーソナリティを削除するための命令とを前記アクセス端末において受信することと、
追加すべきパーソナリティをネゴシエートするためのセッション要求を送信することと
をさらに備える、請求項２２に記載の方法。
【請求項２７】
アクセスネットワーク間のハンドオフ中にアクセス端末によるパーソナリティ修正を可能にするように構成された少なくとも１つのプロセッサであって、
アクセス端末からのアクセスチャネルメッセージを第１のアクセスネットワーク（ＡＮ）に送信するための第１のモジュールであって、前記アクセスチャネルメッセージが、第２のＡＮと前記アクセス端末との間の通信セッションに対応する情報を含み、前記通信セッションが、前記第２のＡＮとネゴシエートされたアクティブパーソナリティを少なくとも含む、第１のモジュールと、
前記アクティブパーソナリティのための新しい通信セッションインデックスに切り替えることによって前記アクティブパーソナリティを維持するための命令を前記第１のＡＮから受信するための第２のモジュールと
を備えるプロセッサ。
【請求項２８】
アクセス端末からのアクセスチャネルメッセージを第１のアクセスネットワーク（ＡＮ）に送信することをコンピュータに行わせるためのコードの第１のセットであって、前記アクセスチャネルメッセージが、第２のＡＮと前記アクセス端末との間の通信セッションに対応する情報を含み、前記通信セッションが、前記第２のＡＮとネゴシエートされたアクティブパーソナリティを少なくとも含む、コードの第１のセットと、
前記アクティブパーソナリティのための新しい通信セッションインデックスに切り替えることによって前記アクティブパーソナリティを維持するための命令を前記第１のＡＮから受信することをコンピュータに行わせるためのコードの第２のセットと
を備えるコンピュータ可読媒体を備えるコンピュータプログラム製品。
【請求項２９】
アクセス端末からのアクセスチャネルメッセージを第１のアクセスネットワーク（ＡＮ）に送信するための手段であって、前記アクセスチャネルメッセージが、第２のＡＮと前記アクセス端末との間の通信セッションに対応する情報を含み、前記通信セッションが、前記第２のＡＮとネゴシエートされたアクティブパーソナリティを少なくとも含む、送信するための手段と、
前記アクティブパーソナリティのための新しい通信セッションインデックスに切り替えることによって前記アクティブパーソナリティを維持するための命令を前記第１のＡＮから受信するための手段と
を備える装置。
【請求項３０】
アクセスネットワーク間のハンドオフ中にアクセス端末によるパーソナリティ修正を可能にするための装置であって、
アクセス端末からのアクセスチャネルメッセージを第１のアクセスネットワーク（ＡＮ）に送信するように動作可能な送信機であって、前記アクセスチャネルメッセージが、第２のＡＮと前記アクセス端末との間の通信セッションに対応する情報を含み、前記通信セッションが、前記第２のＡＮとネゴシエートされたアクティブパーソナリティを少なくとも含む、送信機と、
前記アクティブパーソナリティのための新しい通信セッションインデックスに切り替えることによって前記アクティブパーソナリティを維持するための命令を前記第１のＡＮから受信するように動作可能な受信機と
を備える装置。
【請求項３１】
前記受信機が、実質的に同様の非アクティブパーソナリティを再インデックス付けするための命令を前記第１のＡＮから受信するようにさらに動作可能である、請求項３０に記載の装置。
【請求項３２】
前記通信セッションが１ｘＥＶ−ＤＯ通信セッションをさらに備える、請求項３０に記載の装置。
【請求項３３】
前記アクセスチャネルメッセージがユニキャストアクセス端末識別子またはセッション構成トークンのうちの少なくとも１つを含み、前記セッション構成トークンが、前記ＡＴを識別する前記情報を含む、請求項３０に記載の装置。
【請求項３４】
前記受信機が、前記新しい通信セッションインデックス付きパーソナリティのためのセッションを前記第１のＡＮとネゴシエートするための命令であって、追加すべき前記パーソナリティが前記アクティブパーソナリティまたは再インデックス付けされた非アクティブパーソナリティを含まない、命令と、前記第２のＡＮと前記ＡＴとの間の前記通信セッションに対応し、前記新しい通信セッションインデックス付きパーソナリティと実質的に同様でなかった残りのパーソナリティを削除するための命令とを前記アクセス端末において受信するようにさらに動作可能であり、
前記送信機が、追加すべきパーソナリティをネゴシエートするためのセッション要求を送信するようにさらに動作可能である、
請求項３０に記載の装置。
【発明の詳細な説明】
【技術分野】
【０００１】
米国特許法第１１９条に基づく優先権の主張
本特許出願は、本出願の譲受人に譲渡され、参照により本明細書に明確に組み込まれる、２００８年６月１３日に出願された「Method for modifying the personalities which are stored as part of 1x EV-DO session negotiation when an Access Terminal (AT) moves between access network (AN) storing different number of personalities」と題する仮出願第６１／０６１，４７４号の優先権を主張する。
【背景技術】
【０００２】
ワイヤレス通信システムは、広い地理的領域にわたって様々なタイプの通信（たとえば、音声、データ、マルチメディアサービスなど）を複数のユーザに提供するために広く展開されている。特に、通信の１つのタイプであるｅｖｏｌｕｔｉｏｎ  ｄａｔａ  ｏｎｌｙ（ＥＶ−ＤＯ）は高データレート通信セッションをサポートする。アクセスネットワーク（ＡＮ）（たとえば基本局）は、アクセス端末（たとえばモバイル電話、ポータブルコンピュータなど）にサービスを与えるために、カバレージ領域全体にわたって分布される。
【０００３】
一般に、アクセス端末が、第１の基地局および／またはＡＮから第２の基地局および／またはＡＮに移動するとき、サービスのハンドオフが実行される。たとえば、２つの同様でないＡＮ間のＥＶ−ＤＯサービスのハンドオフ中に、アクセス端末は、ネットワークリソースの使用を開始できるようになる前に、通信セッションをネゴシエートしなければならない。さらに、アクセス端末は、異なる目的で多数の異なるセッションを使用することがある。プロトコルの各ネゴシエートされたセットはパーソナリティとして識別することができる。特に複数のパーソナリティをもつアクセス端末のためのセッションネゴシエーションは、各ＥＶ−ＤＯパーソナリティを確立するために複数の無線通信が必要とされるので、時間とコストがかかることがある。したがって、アクセスネットワーク間のアクセス端末ハンドオフを効率的に可能にするためのシステムおよび／または方法の必要がある。
【発明の概要】
【０００４】
以下で、１つまたは複数の態様の基本的理解を与えるために、そのような態様の簡略化された概要を提示する。この概要は、すべての企図された態様の包括的な概観ではなく、すべての態様の主要または重要な要素を識別するものでも、いずれかまたはすべての態様の範囲を定めるものでもない。その唯一の目的は、後で提示するより詳細な説明の導入として、１つまたは複数の態様のいくつかの概念を簡略化された形で提示することである。
【０００５】
１つまたは複数の態様およびその対応する開示に従って、アクセスネットワーク間のアクセス端末ハンドオフを可能にすることに関して様々な態様を説明する。一態様によれば、アクセスネットワーク間のアクセス端末ハンドオフを可能にするための方法を提供する。本方法は、第１のアクセスネットワーク（ＡＮ）においてアクセス端末からのアクセスチャネルメッセージを受信することであって、アクセスチャネルメッセージが、第２のＡＮとアクセス端末との間の通信セッションに対応する情報を含み、通信セッションが、第２のＡＮとネゴシエートされたアクティブパーソナリティを少なくとも含む、受信することと、第１のＡＮによって前にネゴシエートされた、アクセス端末に関連する少なくとも１つのパーソナリティを取得することと、少なくとも１つのパーソナリティのうちの１つがアクティブパーソナリティと実質的に同様であるかどうかを判断することと、少なくとも１つのパーソナリティのうちの１つがアクティブパーソナリティと実質的に同様であると判断されると、アクティブパーソナリティと実質的に同様のパーソナリティとともに通信セッションを第１のＡＮに転送することとを備えることができる。
【０００６】
さらに別の態様は、アクセスネットワーク間のアクセス端末ハンドオフを可能にするように構成された少なくとも１つのプロセッサに関する。少なくとも１つのプロセッサは、第１のアクセスネットワーク（ＡＮ）においてアクセス端末からのアクセスチャネルメッセージを受信するための第１のモジュールであって、アクセスチャネルメッセージが、第２のＡＮとアクセス端末との間の通信セッションに対応する情報を含み、通信セッションが、第２のＡＮとネゴシエートされたアクティブパーソナリティを少なくとも含む、第１のモジュールと、第１のＡＮによって前にネゴシエートされた、アクセス端末に関連する少なくとも１つのパーソナリティを取得するための第２のモジュールと、少なくとも１つのパーソナリティのうちの１つがアクティブパーソナリティと実質的に同様であるかどうかを判断するための第３のモジュールと、少なくとも１つのパーソナリティのうちの１つがアクティブパーソナリティと実質的に同様であると判断されると、アクティブパーソナリティと実質的に同様のパーソナリティとともに通信セッションを第１のＡＮに転送するための第４のモジュールとを含むことができる。
【０００７】
さらに別の態様は、コンピュータ可読媒体を備えるコンピュータプログラム製品に関する。コンピュータ可読媒体は、第１のアクセスネットワーク（ＡＮ）においてアクセス端末からのアクセスチャネルメッセージを受信することをコンピュータに行わせるためのコードの第１のセットであって、アクセスチャネルメッセージが、第２のＡＮとアクセス端末との間の通信セッションに対応する情報を含み、通信セッションが、第２のＡＮとネゴシエートされたアクティブパーソナリティを少なくとも含む、コードの第１のセットと、第１のＡＮによって前にネゴシエートされた、アクセス端末に関連する少なくとも１つのパーソナリティを取得することをコンピュータに行わせるためのコードの第２のセットと、少なくとも１つのパーソナリティのうちの１つがアクティブパーソナリティと実質的に同様であるかどうかを判断することをコンピュータに行わせるためのコードの第３のセットと、少なくとも１つのパーソナリティのうちの１つがアクティブパーソナリティと実質的に同様であると判断されると、アクティブパーソナリティと実質的に同様のパーソナリティとともに通信セッションを第１のＡＮに転送することをコンピュータに行わせるためのコードの第４のセットとを含むことができる。
【０００８】
さらに別の態様は装置に関する。本装置は、第１のアクセスネットワーク（ＡＮ）においてアクセス端末からのアクセスチャネルメッセージを受信するための手段であって、アクセスチャネルメッセージが、第２のＡＮとアクセス端末との間の通信セッションに対応する情報を含み、通信セッションが、第２のＡＮとネゴシエートされたアクティブパーソナリティを少なくとも含む、受信するための手段と、第１のＡＮによって前にネゴシエートされた、アクセス端末に関連する少なくとも１つのパーソナリティを取得するための手段と、少なくとも１つのパーソナリティのうちの１つがアクティブパーソナリティと実質的に同様であるかどうかを判断するための手段と、少なくとも１つのパーソナリティのうちの１つがアクティブパーソナリティと実質的に同様であると判断されると、アクティブパーソナリティと実質的に同様のパーソナリティとともに通信セッションを第１のＡＮに転送するための手段とを含むことができる。
【０００９】
別の態様は装置に関する。本装置は、第１のアクセスネットワーク（ＡＮ）においてアクセス端末からのアクセスチャネルメッセージを受信するように動作可能な受信機であって、アクセスチャネルメッセージが、第２のＡＮとアクセス端末との間の通信セッションに対応する情報を含み、通信セッションが、第２のＡＮとネゴシエートされたアクティブパーソナリティを少なくとも含む、受信機と、第１のＡＮによって前にネゴシエートされた、アクセス端末に関連する少なくとも１つのパーソナリティを取得することと、少なくとも１つのパーソナリティのうちの１つがアクティブパーソナリティと実質的に同様であるかどうかを判断することと、少なくとも１つのパーソナリティのうちの１つがアクティブパーソナリティと実質的に同様であると判断されると、アクティブパーソナリティと実質的に同様のパーソナリティとともに通信セッションを第１のＡＮに転送することとを行うように動作可能なパーソナリティマネージャとを含むことができる。
【００１０】
さらに、１つまたは複数の態様およびその対応する開示に従って、アクセスネットワーク間のハンドオフ中にアクセス端末によるパーソナリティ修正を可能にすることに関して様々な態様を説明する。一態様によれば、アクセスネットワーク間のハンドオフ中にアクセス端末によるパーソナリティ修正を可能にするための方法を提供する。本方法は、アクセス端末からのアクセスチャネルメッセージを第１のアクセスネットワーク（ＡＮ）に送信することであって、アクセスチャネルメッセージが、第２のＡＮとアクセス端末との間の通信セッションに対応する情報を含み、通信セッションが、第２のＡＮとネゴシエートされたアクティブパーソナリティを少なくとも含む、送信することと、アクティブパーソナリティのための新しい通信セッションインデックスに切り替えることによってアクティブパーソナリティを維持するための命令を第１のＡＮから受信することとを備えることができる。
【００１１】
さらに別の態様は、アクセスネットワーク間のハンドオフ中にアクセス端末によるパーソナリティ修正を可能にするように構成された少なくとも１つのプロセッサに関する。少なくとも１つのプロセッサは、アクセス端末からのアクセスチャネルメッセージを第１のアクセスネットワーク（ＡＮ）に送信するための第１のモジュールであって、アクセスチャネルメッセージが、第２のＡＮとアクセス端末との間の通信セッションに対応する情報を含み、通信セッションが、第２のＡＮとネゴシエートされたアクティブパーソナリティを少なくとも含む、第１のモジュールと、アクティブパーソナリティのための新しい通信セッションインデックスに切り替えることによってアクティブパーソナリティを維持するための命令を第１のＡＮから受信するための第２のモジュールとを含むことができる。
【００１２】
さらに別の態様は、コンピュータ可読媒体を備えるコンピュータプログラム製品に関する。コンピュータ可読媒体は、アクセス端末からのアクセスチャネルメッセージを第１のアクセスネットワーク（ＡＮ）に送信することをコンピュータに行わせるためのコードの第１のセットであって、アクセスチャネルメッセージが、第２のＡＮとアクセス端末との間の通信セッションに対応する情報を含み、通信セッションが、第２のＡＮとネゴシエートされたアクティブパーソナリティを少なくとも含む、コードの第１のセットと、アクティブパーソナリティのための新しい通信セッションインデックスに切り替えることによってアクティブパーソナリティを維持するための命令を第１のＡＮから受信することをコンピュータに行わせるためのコードの第２のセットとを含むことができる。
【００１３】
さらに別の態様は装置に関する。本装置は、アクセス端末からのアクセスチャネルメッセージを第１のアクセスネットワーク（ＡＮ）に送信するための手段であって、アクセスチャネルメッセージが、第２のＡＮとアクセス端末との間の通信セッションに対応する情報を含み、通信セッションが、第２のＡＮとネゴシエートされたアクティブパーソナリティを少なくとも含む、送信するための手段と、アクティブパーソナリティのための新しい通信セッションインデックスに切り替えることによってアクティブパーソナリティを維持するための命令を第１のＡＮから受信するための手段とを含むことができる。
【００１４】
別の態様は装置に関する。本装置は、アクセス端末からのアクセスチャネルメッセージを第１のアクセスネットワーク（ＡＮ）に送信するように動作可能な送信機であって、アクセスチャネルメッセージが、第２のＡＮとアクセス端末との間の通信セッションに対応する情報を含み、通信セッションが、第２のＡＮとネゴシエートされたアクティブパーソナリティを少なくとも含む、送信機と、アクティブパーソナリティのための新しい通信セッションインデックスに切り替えることによってアクティブパーソナリティを維持するための命令を第１のＡＮから受信するように動作可能な受信機とを含むことができる。
【００１５】
上記および関連する目的を達成するために、１つまたは複数の態様は、以下で十分に説明し、特に特許請求の範囲で指摘する特徴を備える。以下の説明および添付の図面に、１つまたは複数の態様のうちのいくつかの例示的な特徴を詳細に記載する。ただし、これらの特徴は、様々な態様の原理を採用することができる様々な方法のほんのいくつかを示すものであり、この説明は、すべてのそのような態様およびそれらの均等物を含むものとする。
【００１６】
添付の図面とともに以下に説明する開示する態様は、開示する態様を限定するためではなく、開示する態様を例示するために与えられ、同様の表示は同様の要素を示す。
【図面の簡単な説明】
【００１７】
【図１】アクセスネットワーク間のアクセス端末ハンドオフを可能にすることができる例示的な通信システムのブロック図。
【図２】アクセスネットワーク間のアクセス端末ハンドオフを可能にするように動作する例示的な通信システムのブロック図。
【図３】説明する態様による、アクセスネットワーク間のアクセス端末ハンドオフを可能にするように構成されたアクセスネットワークの例示的なアーキテクチャのブロック図。
【図４】説明する態様による、アクセスネットワーク間のアクセス端末ハンドオフを可能にするように構成されたアクセス端末の例示的なアーキテクチャのブロック図。
【図５】図１のシステムの呼フローの一態様の呼フロー図。
【図６】図１のシステムの呼フローの別の態様の呼フロー図。
【図７】アクセスネットワーク間のアクセス端末ハンドオフを可能にすることができる例示的な通信システムのブロック図。
【図８】一態様による例示的な多元接続ワイヤレス通信システムを示す図。
【図９】例示的な通信システムのブロック図。
【発明を実施するための形態】
【００１８】
次に、図面を参照しながら様々な態様について説明する。以下の記述では、説明の目的で、１つまたは複数の態様の完全な理解を与えるために多数の具体的な詳細を記載する。ただし、そのような（１つまたは複数の）態様は、これらの具体的な詳細なしに実施できることは明らかであろう。
【００１９】
図１を参照すると、本明細書ではアクセスネットワーク（ＡＮ）１１０および１４０と呼ばれる送受信基地局および／または無線ネットワークコントローラ間のアクセス端末１２０ハンドオフを可能にすることができる例示的な通信システム１００が示されている。図１で示される通信システム１００は、第１のＡＮＡＮ１１０と、第２のＡＮＡＮ１４０と、アクセス端末１２０とを含むことができる。アクセス端末１２０が、第１のアクセスネットワークＡＮ（１）１１０との通信から第２のアクセスネットワークＡＮ（２）１４０との通信に移動するとき、たとえば、複数の１ｘＥＶ−ＤＯパーソナリティを含む通信セッションをネゴシエートすることができる。特に、通信セッションの中断を回避するために、アクセス端末と第１のＡＮとの間のセッションを第２のＡＮに転送することができる。一態様では、セッションは、アクティブパーソナリティと、場合によっては１つまたは複数の非アクティブパーソナリティとを含むことができる。限定ではなく例として、パーソナリティは、アクセス端末とＡＮとの間のプロトコルのネゴシエートされたセットを含むことができる。アクセス端末およびＡＮは、セッション構成中に複数のパーソナリティをネゴシエートすることができるが、通信中には一度に１つのパーソナリティのみを使用することができる。たとえば、各パーソナリティは、通信セッションの特性を定義する１つまたは複数のパラメータを含むことができる通信構成を定義する。たとえば、そのようなパラメータは、限定はしないが、ＡＴ識別子と、通信プロトコル識別子と、アプリケーション識別情報と、待ち時間、帯域幅、スループット／グッドプットなどのサービス品質パラメータとを含むことができる。一態様では、アクセス端末と第２のＡＮが前に等価のアクティブパーソナリティをネゴシエートしている場合、アクティブパーソナリティセッションの完全な再ネゴシエートなしにハンドオフを実行することができる。
【００２０】
アクセス端末１２０は、ネゴシエートされたインデックス付きパーソナリティを記憶するためのパーソナリティインデックス１２２と、そのようなパーソナリティの生成および使用を処理するためのパーソナリティマネージャ１３０とをさらに含むことができる。パーソナリティマネージャ１３０は、ＡＮ（たとえば１１０、１４０）間のハンドオフをいつ実行すべきかを判断することを支援するためのハンドオフモジュール１３２をさらに備えることができる。たとえば、ハンドオフモジュール１３２は、信号強度、サービスプロバイダ情報、ユーザ選好などのうちの１つまたは複数に少なくとも部分的に応じて、ＡＮ間でいつ切り替えるべきかを判断することができる。さらに、パーソナリティマネージャ１３０は、第１のＡＮ１１０とのアクティブ通信セッション中に使用されるアクティブパーソナリティ１３４をさらに備えることができる。たとえば、アクセス端末は、１ｘＥＶ−ＤＯセッションを使用して、そのアクセス端末とサービスしているＡＮとの間の高いデータ転送レートを実現することができる。１ｘＥＶ＿ＤＯセッションは、様々なタスクをより効果的に可能にするために複数のパーソナリティを含むことができる。一度に１つパーソナリティのみを使用することができるので、現在使用中のパーソナリティはアクティブパーソナリティ１３４と呼ばれることがある。パーソナリティインデックス１２２は、１つまたは複数のインデックス付きパーソナリティ（１２４、１２６、１２８）をさらに含むことができる。一態様では、各パーソナリティをＡＮとネゴシエートすることができ、パーソナリティインデックス中で各パーソナリティを一意にインデックス付けすることができる。たとえば、第１のＡＮ（たとえば１１０）は４つのパーソナリティをアクセス端末１２０とネゴシエートし、第２のＡＮ（たとえば１４０）は２つのパーソナリティをアクセス端末１２０とネゴシエートしていることがある。
【００２１】
図１に示すように、ＡＴは、ＡＮ１１０（１）からＡＮ（２）１４０へのハンドオフを開始することができる。第１のＡＮ１１０は、アクセス端末アクティブパーソナリティモジュール１１２とアクセス端末非アクティブパーソナリティインデックスモジュール１１４とをさらに含むことができる。アクセス端末アクティブパーソナリティモジュール１１２は、ネゴシエートされ、コミットされたアクティブパーソナリティを使用して、アクセス端末１２０との通信を可能にすることができる。アクセス端末非アクティブパーソナリティインデックスモジュール１１４は、ＡＮ１１０とアクセス端末１２０との間の通信を可能にするために、任意の数の様々なネゴシエートされた非アクティブパーソナリティが選択されたとき、前記非アクティブパーソナリティを呼び戻すように動作可能とすることができる。
【００２２】
第２のＡＮ１４０は、アクセス端末アクティブパーソナリティモジュール１４２とアクセス端末非アクティブパーソナリティインデックスモジュール１４４とをさらに含むことができる。アクティブパーソナリティモジュール１４２は、ＡＮ１４０とのアクティブパーソナリティセッションへの、アクセス端末１２０とＡＮ１１０とのためのアクティブパーソナリティの移行を可能にするように動作可能とすることができる。一態様では、サービスプロバイダ、ＡＮ管理者などが、アクティブパーソナリティ１１２とアクティブパーソナリティ１４２との間の等価性のしきい値レベルを判断することができる。たとえば、アクティブパーソナリティモジュール１４２は、アクセス端末１２０とＡＮ１１０とのためのアクティブパーソナリティと、ＡＮ１４０で記憶された任意のパーソナリティとの間のフィールドごとの比較を実行することができる。一態様では、ＡＮ１４０は、パーソナリティの比較中に使用すべきデフォルトのパーソナリティまたはパーソナリティのフィールドを含むことができる。一態様では、アクティブパーソナリティモジュール１４２は、通信セッションを確立するより前に、ＡＮ１４０とアクセス端末１２０との間のその後のネゴシエーションを必要としないだけの十分な通信フィールドが存在するとき、等価性のしきい値レベルを意味する（たとえば、アクティブパーソナリティは実質的に同様である）と判断する。一態様では、２つのパーソナリティが同じプロトコルサブタイプを使用し、さらに、ネゴシエートされた属性の値が同じであるかまたは実質的に同様である場合、それらのパーソナリティに対する等価性のしきい値レベルが満たされる。したがって、新しいアクティブパーソナリティをネゴシエートすることに関連する中断の延長なしにＡＮ間でアクセス端末を移行することができる。さらに、ＡＮ１４０とアクセス端末１２０との間の新しいアクティブパーソナリティネゴシエーション通信をなくすことによって、バックホールトラフィックを低減することができる。
【００２３】
一態様では、非アクティブパーソナリティモジュール１４４は、ＡＮ１４０によってインデックス付けされた少なくとも１つの非アクティブパーソナリティへの、ＡＮ１１０ＡＮ上のアクセス端末１２０のための少なくとも１つの非アクティブパーソナリティの移行を可能にするように動作可能とすることができる。動作中、ＡＮとアクセス端末との間の無線リソースに過度に負担をかけることを避けるために、非アクティブパーソナリティモジュール２３４はセッション情報１５０をＡＮ１１０に要求することができる。一態様では、Ａ１３ＳｅｓｓｉｏｎＩｎｆｏＲｅｑメッセージを使用して、この要求１５０を実行することができる。その後、ＡＮ１１０は、ＡＮ１１０とアクセス端末１２０との間のセッションのための非アクティブパーソナリティ情報で要求に応答する。ＡＮ１４０は、次いで、いずれかの受信した非アクティブパーソナリティが、ＡＮ１４０が要求元アクセス端末１２０に関して有するいずれかの記憶されたパーソナリティに等価であるかどうかを判断する。たとえば、ＡＮ１４０は、アクセス端末１２０のユニキャストアクセス端末識別子（ＵＡＴＩ）を使用して、ＡＮ１４０とアクセス端末１２０との間で前にネゴシエートされたアクセス端末パーソナリティを探索することができる。さらに、たとえば、一態様では、ＡＴ１２０がＡＮ１１０からＡＮ１４０へのハンドオフを実行するとき、ＡＴ１２０によって送信されるアクセスチャネルメッセージはユニキャストアクセス端末識別子（ＵＡＴＩ）を有する。ＡＮ１４０は、ＩＳ−８７８などにおいて定義されたＡ１３プロシージャによってＵＡＴＩを使用して、アクティブパーソナリティまたはアクティブパーソナリティと非アクティブパーソナリティの両方を含むセッション情報をＡＮ１１０から検索するために、このＵＡＴＩを使用することができる。
【００２４】
図２を参照すると、アクセスネットワーク間のアクセス端末ハンドオフを可能にするように動作する例示的な通信システム２００のブロック図が示されている。例示的なシステム２００は、複数のアクセスネットワーク（ＡＮ）１１０、１４０とアクセス端末（ＡＴ）１２０とを備える。ＡＮおよびＡＴについては、それぞれ図３および図４を参照しながらより詳細に説明する。図示のように、ＡＴ１２０は、ＡＮ（１）１１０によるカバレージ領域サービスからＡＮ（２）によるカバレージ領域サービスに移動（２５４）している。したがって、ＡＴ１２０は、ＡＮ（１）１１０からＡＮ（２）１４０へのサービスのハンドオフを要求（２５２）することがある。図示のように、ＡＮ（１）１１０は４つのパーソナリティ（０、１、２、３）をサポートし、ＡＮ（２）１４０は３つのパーソナリティ（０、１、２）をサポートする。さらに、アクセス端末１２０は、ハンドオフより前にＡＮ（１）のパーソナリティインデックス３をアクティブに使用している。さらに、図示の例では、ＡＮ（１）１１０のパーソナリティインデックス３はＡＮ（２）１４０のパーソナリティインデックス１に等価である。
【００２５】
動作中、ハンドオフ要求２５２をＡＮ（２）１４０に送信することができる。また、動作の詳細な説明については、図５および図６に関して論じる。一態様では、要求はアクティブパーソナリティ情報を含むことができる。ＡＮ（２）１４０がハンドオフ要求２５２を受信した後、アクティブパーソナリティモジュール２４６は、ＡＴパーソナリティストア２５０からアクセス端末１２０に一致する可能なパーソナリティを取得する。たとえば、ＡＮ（２）１４０は、アクセス端末１２０のユニキャストアクセス端末識別子（ＵＡＴＩ）を使用して、ＡＮ１４０とアクセス端末１２０との間で前にネゴシエートされたパーソナリティについてＡＮ（２）１４０におけるＡＴパーソナリティストアを探索する。図示の例では、ＡＴパーソナリティストア２５０は、少なくともパーソナリティＡＴ（１ａ）およびＡＴ（２ａ）を記憶している。アクティブパーソナリティモジュール２４６は、受信したアクティブパーソナリティ、図示の例ではＡＴ（３）をＡＴパーソナリティストア２５０からのＡＴ（１ａ）と比較する。パーソナリティが実質的に同様であると判断されると、以下でさらに詳細に説明するように、ＡＮ（２）１４０は、ＡＴ（１ａ）を使用して、アクティブパーソナリティを再ネゴシエートする必要なしにＡＴ１２０と通信することができる。
【００２６】
さらに、一態様では、非アクティブパーソナリティモジュール２４８は、ＡＮ（１）１１０から、ＡＮ（２）１４０によってインデックス付けされた少なくとも１つの非アクティブパーソナリティへの、ＡＴ（２）などの少なくとも１つの非アクティブパーソナリティの移行を可能にするように動作可能とすることができる。動作中、ＡＮとＡＴとの間の無線リソースに過度に負担をかけることを避けるために、非アクティブパーソナリティモジュール２４８はセッション情報１５０をＡＮ（１）１１０に要求することができる。一態様では、Ａ１３ＳｅｓｓｉｏｎＩｎｆｏＲｅｑメッセージを使用して、この要求１５０を実行することができる。その後、ＡＮ（１）１１０は、ＡＮ１１０とアクセス端末１２０との間のセッションのための非アクティブパーソナリティ情報で要求に応答する。非アクティブパーソナリティモジュール２４８は、次いで、ＡＴ（２）などのいずれかの受信した非アクティブパーソナリティが、ＡＴ（２ａ）など、ＡＮ１４０が要求元アクセス端末１２０に関して有するいずれかの記憶されたパーソナリティに等価であるかどうかを判断する。そのような等価性が発見された場合、非アクティブパーソナリティモジュール２４８は、ＡＴ１２０が使用する利用可能な非アクティブパーソナリティとしてＡＴ（２ａ）を含めることができる。
【００２７】
図３を参照すると、複数の受信アンテナ３０６を介して１つまたは複数のユーザデバイス１１０から（１つまたは複数の）信号を受信する受信機３１０と、送信アンテナ３０８を介して１つまたは複数のユーザデバイス１１０および／または１つまたは複数のネットワークマネージャ１５０に送信する送信機３２２とをもつアクセスネットワーク３０２を備える例示的なシステム３００が示されている。受信機３１０は、受信アンテナ３０６から情報を受信することができ、受信された情報を復調する復調器３１２に動作可能に関連する。アイテムの中でも、モバイルデバイスパフォーマンス測定およびロケーションに関係する情報を記憶するメモリ３１６に結合されたプロセッサ３１４によって、復調されたシンボルが分析される。プロセッサ３１４は、受信機３１０によって受信された情報の分析および／または送信機３２２による送信のための情報の生成に専用のプロセッサ、アクセスネットワーク３０２の１つまたは複数の構成要素を制御するプロセッサ、および／または受信機３１０によって受信された情報の分析、送信機３２２による送信のための情報の生成、ならびにアクセスネットワーク３０２の１つまたは複数の構成要素の制御の両方を行うプロセッサとすることができる。上記のように、アクセスネットワーク３０２は、プロセッサ３１４に動作可能に結合され、アイテムの中でも、前に様々なアクセス端末とネゴシエートされたパーソナリティに関係する情報を記憶するメモリ３１６をさらに備えることができる。本明細書で説明するデータストア（たとえば、メモリ）構成要素は、揮発性メモリと不揮発性メモリのいずれかとすることができるか、または揮発性メモリと不揮発性メモリの両方を含むことができることが諒解されよう。限定ではなく例として、不揮発性メモリは、読取り専用メモリ（ＲＯＭ）、プログラマブルＲＯＭ（ＰＲＯＭ）、電気的プログラマブルＲＯＭ（ＥＰＲＯＭ）、電気的消去可能ＰＲＯＭ（ＥＥＰＲＯＭ）、またはフラッシュメモリを含むことができる。揮発性メモリは、外部キャッシュメモリとして動作するランダムアクセスメモリ（ＲＡＭ）を含むことができる。限定ではなく例として、ＲＡＭは、同期ＲＡＭ（ＳＲＡＭ）、ダイナミックＲＡＭ（ＤＲＡＭ）、同期ＤＲＡＭ（ＳＤＲＡＭ）、ダブルデータレートＳＤＲＡＭ（ＤＤＲ  ＳＤＲＡＭ）、拡張ＳＤＲＡＭ（ＥＳＤＲＡＭ）、シンクリンクＤＲＡＭ（ＳＬＤＲＡＭ）、およびダイレクトランバスＲＡＭ（ＤＲＲＡＭ）など、多くの形態が利用可能である。主題の装置および方法のメモリ３１６は、これらおよび他の適切なタイプのメモリを、これらに限定されることなく、備えるものとする。さらに、一態様では、メモリ３１６は、前にネゴシエートされたパーソナリティに関係する記憶された情報を編成することを可能にするためのアクセス端末パーソナリティストア３１８を含むことができる。
【００２８】
一態様では、アクセス端末パーソナリティストア３１８は、ユニキャストアクセス端末識別子（ＵＡＴＩ）を使用して、パーソナリティをアクセス端末に結合することができる。アクセス端末パーソナリティストア３１８は、前に様々なアクセス端末とネゴシエートされたパーソナリティに関係する情報を含むことができる。たとえば、前にＡＮと対話したアクセス端末は４つのパーソナリティをネゴシエートしていることがあり、アクセス端末によるその後のアクセスを可能にするために、これらのネゴシエートされたパーソナリティを記憶して、パーソナリティを再ネゴシエートするために時間がさらに費やされることを回避することができる。別の態様では、ＡＴと前に通信していない新しいＡＮは、ＡＴに新しいＵＡＴＩを割り当てることができる。
【００２９】
プロセッサ３１４はパーソナリティマネージャ３３０にさらに結合される。パーソナリティマネージャ３３０は、アクティブパーソナリティモジュール３３２と、非アクティブパーソナリティモジュール３３４と、インデックス付けモジュール３３６とを含むことができる。一態様では、アクティブパーソナリティモジュール３３２は、ハンドオフ受信ＡＮとのアクティブパーソナリティセッションへの、アクセス端末１２０と前のＡＮとのためのアクティブパーソナリティの移行を可能にするように動作可能とすることができる。一態様では、非アクティブパーソナリティモジュール３３４は、前のＡＮから、ハンドオフ受信ＡＮによってインデックス付けされた少なくとも１つの非アクティブパーソナリティへの、アクセス端末１２０と前のＡＮとのための少なくとも１つの非アクティブパーソナリティの移行を可能にするように動作可能とすることができる。ＡＮとアクセス端末との間の無線リソースに過度に負担をかけることを避けるために、非アクティブパーソナリティモジュール３３４はセッション情報を前に接続されたＡＮに要求することができる。一態様では、Ａ１３ＳｅｓｓｉｏｎＩｎｆｏＲｅｑを使用して、この要求を実行することができる。その後、前に接続されたＡＮは、前に接続されたＡＮとアクセス端末との間のセッションのためのパーソナリティ情報で要求に応答する。ハンドオフ受信ＡＮは、次いで、いずれかの非アクティブパーソナリティが、ハンドオフ受信ＡＮが要求元アクセス端末に関して有するいずれかの記憶されたパーソナリティに等価であるかどうかを判断する。たとえば、ハンドオフ受信ＡＮは、アクセス端末のＵＡＴＩを使用して、ハンドオフ受信ＡＮとアクセス端末との間で前にネゴシエートされたパーソナリティについてアクセス端末パーソナリティストア３１８を探索することができる。
【００３０】
図４を参照すると、アクセスネットワーク（たとえば２０２）間のハンドオフを可能にするように構成されたアクセス端末４００の例示的なアーキテクチャが示されている。モバイルデバイス４００は、たとえば、受信アンテナ（図示せず）から信号を受信し、受信信号に対して典型的なアクション（たとえば、フィルタ処理、増幅、ダウンコンバートなど）を実行し、サンプルを得るために調整された信号をデジタル化する受信機４０２を備える。受信機４０２は、受信されたシンボルを復調し、チャネル推定のためにプロセッサ４０６に供給する復調器４０４を備えることができる。プロセッサ４０６は、受信機４０２によって受信された情報の分析および／または送信機４２０による送信のための情報の生成に専用のプロセッサ、アクセス端末４００の１つまたは複数の構成要素を制御するプロセッサ、および／または受信機４０２によって受信された情報の分析、送信機４２０による送信のための情報の生成、ならびにアクセス端末４００の１つまたは複数の構成要素の制御の両方を行うプロセッサとすることができる。
【００３１】
さらに、送信機４２０は、データなどの中でも、アクセスチャネルメッセージ４２６を送信することができる。アクセスチャネルメッセージ４２６はアクティブパーソナリティインデックス４２８を含むことができる。アクセス端末４００が２つのＡＮ間でハンドオフを試みるとき、アクセスチャネルメッセージ４２４を送信することができる。一態様では、アクセスチャネルメッセージ４２４は、ユニキャストアクセス端末識別子（ＵＡＴＩ）、セッション構成トークン（ＳＣＴ）などのセッショントークンなどを含むことができる。さらに、セッショントークンを使用して、アクセス端末アクティブパーソナリティインデックス４２８を受信ＡＮに中継することができる。
【００３２】
アクセス端末４００は、メモリ４０８をさらに備えることができ、メモリ４０８は、プロセッサ４０６に動作可能に結合され、送信すべきデータ、受信されたデータ、利用可能なチャネルに関する情報、分析された信号および／または干渉強度に関係するデータ、割り当てられたチャネル、電力、レートなどに関係する情報、ならびにチャネルを推定し、そのチャネルを介して通信するための他の適切な情報を記憶することができる。メモリはインデックス付きパーソナリティ４１０（１）〜（Ｎ）を含むことができる。ＡＮインデックス付きパーソナリティ４１０は、アクセス端末４００と様々なＡＮとの間の前の通信セッションに少なくとも部分的に依存することがある。一態様では、第１のＡＮ（たとえばＡＮ（１））は４つのパーソナリティをアクセス端末４００とネゴシエートし、第２のＡＮ（たとえばＡＮ（２））は２つのパーソナリティをアクセス端末４００とネゴシエートしていることがある。メモリ４０８は、（たとえば、パフォーマンスベース、容量ベースなどの）チャネルの推定および／または利用に関連するプロトコルおよび／またはアルゴリズムをさらに記憶することができる。
【００３３】
本明細書で説明するデータストア（たとえば、メモリ４０８）は、揮発性メモリまたは不揮発性メモリのいずれかとすることができ、あるいは揮発性メモリと不揮発性メモリの両方を含むことができることを諒解されたい。限定ではなく例として、不揮発性メモリは、読取り専用メモリ（ＲＯＭ）、プログラマブルＲＯＭ（ＰＲＯＭ）、電気的プログラマブルＲＯＭ（ＥＰＲＯＭ）、電気的消去可能ＰＲＯＭ（ＥＥＰＲＯＭ）、またはフラッシュメモリを含むことができる。揮発性メモリは、外部キャッシュメモリとして動作するランダムアクセスメモリ（ＲＡＭ）を含むことができる。限定ではなく例として、ＲＡＭは、同期ＲＡＭ（ＳＲＡＭ）、ダイナミックＲＡＭ（ＤＲＡＭ）、同期ＤＲＡＭ（ＳＤＲＡＭ）、ダブルデータレートＳＤＲＡＭ（ＤＤＲ  ＳＤＲＡＭ）、拡張ＳＤＲＡＭ（ＥＳＤＲＡＭ）、シンクリンクＤＲＡＭ（ＳＬＤＲＡＭ）、およびダイレクトランバスＲＡＭ（ＤＲＲＡＭ）など、多くの形態が利用可能である。主題のシステムおよび方法のメモリ４０８は、これらおよび他の適切なタイプのメモリを、これらに限定されることなく、備えるものとする。
【００３４】
アクセス端末４００は、アクセスネットワーク間の効率的なハンドオフを可能にするためのパーソナリティマネージャ４１２をさらに備えることができる。パーソナリティマネージャ４１２は、ＡＮ間のハンドオフをいつ実行すべきかを判断することを支援するためのハンドオフモジュール４１４をさらに備えることができる。たとえば、ハンドオフモジュール４１４は、信号強度、サービスプロバイダ情報、ユーザ選好などに少なくとも部分的に応じて、ＡＮ間でいつ切り替えるべきかを判断することができる。さらに、パーソナリティマネージャ４１２は、アクティブ通信セッション可能にするために使用されるアクティブパーソナリティ４１６をさらに備えることができる。たとえば、アクセス端末は、１ｘＥＶ−ＤＯセッションを使用して、そのアクセス端末とサービスしているＡＮとの間の高いデータ転送レートを実現することができる。１ｘＥＶ＿ＤＯセッションは、様々なタスクをより効果的に可能にするために複数のパーソナリティを含むことができる。一度に１つパーソナリティのみを使用することができるので、現在使用中のパーソナリティはアクティブパーソナリティ４１６と呼ばれることがある。
【００３５】
図１を依然として参照しながら、図５をも参照すると、非限定的な一態様における、システム５００の呼フローの態様の呼流れ図が示されている。図示のように、アクセス端末５０２は第１のＡＮ５０４（たとえばＡＮ（１））との確立された通信セッション５１０を有する。図示の例では、ＡＮ（１）５０４はＡＮ（２）５０６よりも多くのパーソナリティをサポートする。たとえば、ＡＮ（１）５０４は４つのパーソナリティ（０、１、２、３）をサポートし、ＡＮ（２）５０６は３つのパーソナリティ（０、１、２）をサポートする。さらに、アクセス端末５０２は、ハンドオフより前にＡＮ（１）のパーソナリティインデックス３をアクティブに使用している。さらに、図示の例では、ＡＮ（１）５０４のパーソナリティインデックス３はＡＮ（２）５０６のパーソナリティインデックス１に等価である。
【００３６】
行為５１２において、ＡＮ（１）と第２のＡＮ５０６（たとえばＡＮ（２））との間のハンドオフを開始する。たとえば、アクセス端末がＡＮ（１）５０４のカバレージエリアからＡＮ（２）５０６のカバレージエリアに移動するとき、アクセス端末は、ユーザに与えられているサービスの中断を回避するためにハンドオフを開始することができる。行為５２２において、アクセス端末５０２は、限定はしないが、アクセスチャネルメッセージなどのアクセス要求をＡＮ（２）５０６に送信する。メッセージは、ユニキャストアクセス端末識別子（ＵＡＴＩ）、セッション構成トークン（ＳＣＴ）などのセッショントークンなどをさらに含むことができる。さらに、セッショントークンを使用して、アクセス端末５０２アクティブパーソナリティをＡＮ（２）５０６に中継することができる。たとえば、アクセス端末５０２は、ＡＮ（１）のパーソナリティインデックス３を使用してアクティブに通信している。
【００３７】
アクセス要求を受信すると、ＡＮ（２）５０６はアクティブパーソナリティのためのハンドオフを処理する（４２０）。ＡＮ（２）５０６は、アクティブパーソナリティ（図示の例ではＡＮ（１）のパーソナリティインデックス３）が、ＡＮ（２）が要求元アクセス端末５０２に関して有するいずれかの記憶されたパーソナリティに等価であるかどうかを判断する。一態様では、通信セッションを確立するより前に、ＡＮ（２）とアクセス端末５０２との間のその後のネゴシエーションを必要としないだけの十分な通信フィールドが存在するとき、等価性のしきい値レベルを意味する（たとえば、アクティブパーソナリティは実質的に同様である）。一態様では、ＡＮ（２）は、アクセス端末５０２のＵＡＴＩを使用して、ＡＮ（２）５０６とアクセス端末５０２との間で前にネゴシエートされたパーソナリティのストアを探索することができる。別の態様では、ＡＮ（２）は、ＡＮ（１）からアクティブパーソナリティ情報を検索することによって、アクティブパーソナリティの等価物を判断することができる。さらに別の態様では、ＡＮ（２）は、アクセス端末５０２によって送信されたＳＣＴ使用して、ＡＮ（２）５０６とアクセス端末５０２との間で前にネゴシエートされたパーソナリティのストアを探索することができる。図示の例では、ＡＮ（２）５０６は、ＡＮ（１）とともに使用されているアクティブパーソナリティに等価なパーソナリティ、たとえばＡＮ（２）に対するパーソナリティインデックス１を取得する。一態様では、サービスプロバイダ、ＡＮ管理者などが、等価性のしきい値レベルを判断することができる。そのような態様では、サービスプロバイダなどは、アクティブパーソナリティが実質的に同様であると見なされるために、そのパーソナリティ中のどのフィールドが一致しなければならないかを判断し、他のフィールドにデフォルト値を与えるか、またはそれらのフィールドを前の設定のままにしておくことができる。別の態様では、サービスプロバイダは、維持されるアクティブパーソナリティ中に存在する１つまたは複数のフィールドの値の範囲を定義することができる。行為５２４において、ＡＮ（２）５０６は、パーソナリティインデックス３をインデックス１にコピーするためのメッセージをアクセス端末５０２に送信する。さらに、ＡＮ（２）はパーソナリティインデックス１をアクティブにする。一態様では、ＡＮ（２）は、ＡＮ（１）５０４のパーソナリティインデックス３をＡＮ（２）５０６のパーソナリティインデックス１にハードリンクストリーミングすることができる。行為５２６において、アクセス端末５０２はアクティブパーソナリティインデックス変更の肯定応答を送信する。その後、アクセス端末５０２は、ハンドオフ中にアクティブパーソナリティを完全に再ネゴシエートする必要なしに、アクセス端末５０２がＡＮ（１）５０４とともに使用していた等価アクティブパーソナリティを使用して、ＡＮ（２）５０６との通信（行為５４０）を続けることができる。
【００３８】
一態様（４３０）では、ＡＮ（２）５０６は、アクセス端末５０２のためにＡＮ（１）５０４に対してインデックス付けされた非アクティブパーソナリティに関してＡＮ（１）５０４と通信することによって、パーソナリティネゴシエーションの頻度をさらに低減することができる。行為５３２において、ＡＮ（２）５０６はセッション情報をＡＮ（１）５０４に要求する。一態様では、Ａ１３ＳｅｓｓｉｏｎＩｎｆｏＲｅｑを使用して、この要求を実行することができる。行為５３４において、ＡＮ（１）５０４は、ＡＮ（１）とアクセス端末５０２との間のセッションのためのパーソナリティ情報でＡＮ（２）５０６からの要求に応答する。ＡＮ（２）は、次いで、いずれかの非アクティブパーソナリティが、ＡＮ（２）が要求元アクセス端末５０２に関して有するいずれかの記憶されたパーソナリティに等価であるかどうか（たとえば、図示の例ではＡＮ（２）のパーソナリティインデックス１とＡＮ（１）のパーソナリティインデックス２）を判断する。たとえば、ＡＮ（２）は、アクセス端末５０２のＵＡＴＩを使用して、ＡＮ（２）５０６とアクセス端末５０２との間で前にネゴシエートされたパーソナリティのストアを探索することができる。図示の例では、ＡＮ（２）５０６は、ＡＮ（１）とネゴシエートされた非アクティブパーソナリティに等価なパーソナリティ（たとえばＡＮ（１）のパーソナリティインデックス１はＡＮ（２）のパーソナリティインデックス２に等価である）を取得する。行為５３６において、ＡＮ（２）５０６は、パーソナリティインデックス１をインデックス２にコピーするためのメッセージをアクセス端末５０２に送信する。行為５３８において、アクセス端末５０２は非アクティブパーソナリティインデックス変更の肯定応答を送信する。一態様では、ＡＮ（２）は、ＡＮ（１）５０４の非アクティブパーソナリティインデックスをＡＮ（２）５０６の非アクティブパーソナリティインデックスにハードリンクストリーミングすることができる。たとえば、ＡＮ（２）は、ＡＮ（１）５０４の非アクティブパーソナリティインデックス１をＡＮ（２）５０６の非アクティブパーソナリティインデックス２にハードリンクストリーミングする。さらに、行為５２４および／または行為５３６において、ＡＮ（２）は、ＡＮ（２）のパーソナリティに等価でないＡＮ（１）のパーソナリティを削除するためのメッセージを送信し、行為５２６および／または５２８において、アクセス端末５０２は前記パーソナリティの削除を確認する。行為５４０において、ハンドオフは完了し、アクセス端末５０２はＡＮ（２）５０６と通信する。
【００３９】
図１を依然として参照しながら、図６をも参照すると、非限定的な一態様における、システム６００の呼フローの態様の呼流れ図が示されている。図示のように、アクセス端末６０２は第２のＡＮ６０６（たとえばＡＮ（２））との確立された通信セッション６１０を有する。図示の例では、ＡＮ（１）６０４はＡＮ（２）６０６よりも多くのパーソナリティをサポートする。たとえば、ＡＮ（１）６０４は４つのパーソナリティ（０、１、２、３）をサポートし、ＡＮ（２）６０６は３つのパーソナリティ（０、１、２）をサポートする。さらに、アクセス端末６０２は、ハンドオフより前にＡＮ（２）６０６のパーソナリティインデックス１をアクティブに使用している。さらに、図示の例では、ＡＮ（１）６０４のパーソナリティインデックス３はＡＮ（２）６０６のパーソナリティインデックス１に等価である。
【００４０】
行為６１２において、ＡＮ（２）と第１のＡＮ６０６（たとえばＡＮ（１））との間のハンドオフを開始する。たとえば、アクセス端末がＡＮ（２）６０６のカバレージエリアからＡＮ（１）６０４のカバレージエリアに移動するとき、アクセス端末は、ユーザに与えられているサービスの中断を回避するためにハンドオフを開始することができる。行為６２２において、アクセス端末６０２は、限定はしないが、アクセスチャネルメッセージなどのアクセス要求をＡＮ（１）６０４に送信する。メッセージは、ユニキャストアクセス端末識別子（ＵＡＴＩ）、セッション構成トークン（ＳＣＴ）などのセッショントークンなどをさらに含むことができる。さらに、セッショントークンを使用して、アクセス端末６０２アクティブパーソナリティをＡＮ（１）６０４に中継することができる。たとえば、アクセス端末６０２は、ＡＮ（２）のパーソナリティインデックス１を使用してアクティブに通信している。
【００４１】
アクセス要求を受信すると、ＡＮ（１）はアクティブパーソナリティのためのハンドオフを処理する（５２０）。ＡＮ（２）は、アクティブパーソナリティ（図示の例ではＡＮ（２）のパーソナリティインデックス１）が、ＡＮ（１）が要求元アクセス端末６０２に関して有するいずれかの記憶されたパーソナリティに等価であるかどうかを判断する。たとえば、ＡＮ（１）は、アクセス端末６０２のＵＡＴＩを使用して、ＡＮ（１）６０４とアクセス端末６０２との間で前にネゴシエートされたパーソナリティのストアを探索することができる。図示の例では、ＡＮ（１）６０４は、ＡＮ（２）６０６とともに使用されているアクティブパーソナリティに等価なパーソナリティ、たとえばＡＮ（１）に対するパーソナリティインデックス３を取得する。行為６２４において、ＡＮ（１）６０６は、パーソナリティインデックス１をインデックス３にコピーするためのメッセージをアクセス端末６０２に送信する。さらに、ＡＮ（１）はパーソナリティインデックス３をアクティブにする。一態様では、ＡＮ（１）は、ＡＮ（２）６０６のパーソナリティインデックス１をＡＮ（１）６０４のパーソナリティインデックス３にハードリンクストリーミングすることができる。行為６２６において、アクセス端末６０２はアクティブパーソナリティインデックス変更の肯定応答を送信する。その後、アクセス端末６０２は、ハンドオフ中にアクティブパーソナリティを完全に再ネゴシエートする必要なしに、アクセス端末６０２がＡＮ（２）６０６とともに使用していた等価アクティブパーソナリティを使用して、ＡＮ（１）６０４と通信する（行為４４０）ことができる。
【００４２】
一態様（５３０）では、ＡＮ（１）６０４は、アクセス端末６０２のためにＡＮ（２）６０６に対してインデックス付けされた非アクティブパーソナリティに関してＡＮ（２）６０６と通信することによって、パーソナリティネゴシエーションの頻度をさらに低減することができる。行為６３２において、ＡＮ（１）６０４はセッション情報をＡＮ（２）６０６に要求する。一態様では、Ａ１３ＳｅｓｓｉｏｎＩｎｆｏＲｅｑ形式を使用して、この要求を実行することができる。行為６３４において、ＡＮ（２）６０６は、ＡＮ（２）とアクセス端末６０２との間のセッションのための非アクティブパーソナリティ情報でＡＮ（１）６０４からの要求に応答する。ＡＮ（１）は、次いで、いずれかの非アクティブパーソナリティが、ＡＮ（１）が要求元アクセス端末６０２に関して有するいずれかの記憶されたパーソナリティに等価であるかどうか（たとえば、図示の例ではＡＮ（２）のパーソナリティインデックス１とＡＮ（１）のパーソナリティインデックス２）を判断する。たとえば、ＡＮ（１）は、アクセス端末６０２のＵＡＴＩを使用して、ＡＮ（１）６０４とアクセス端末６０２との間で前にネゴシエートされたパーソナリティのストアを探索することができる。図示の例では、ＡＮ（１）６０６は、ＡＮ（１）とネゴシエートされた非アクティブパーソナリティに等価なパーソナリティ（たとえばＡＮ（１）のパーソナリティインデックス１はＡＮ（２）のパーソナリティインデックス２に等価である）を取得する。行為６３６において、ＡＮ（１）６０４は、等価非アクティブパーソナリティを（たとえばインデックス２をインデックス１に）コピーするためのメッセージをアクセス端末６０２に送信する。行為６３８において、アクセス端末６０２は非アクティブパーソナリティインデックス変更の肯定応答を送信する。一態様では、ＡＮ（１）は、ＡＮ（２）６０６の非アクティブパーソナリティインデックスをＡＮ（１）６０４の非アクティブパーソナリティインデックスにハードリンクストリーミングすることができる。たとえば、ＡＮ（１）は、ＡＮ（２）６０６の非アクティブパーソナリティインデックス２をＡＮ（１）６０４の非アクティブパーソナリティインデックス１にハードリンクストリーミングする。さらに、行為６２４および／または行為６３６において、ＡＮ（１）は、ＡＮ（１）のパーソナリティに等価でないＡＮ（２）のパーソナリティを削除するためのメッセージを送信し、行為６２６および／または６２８において、アクセス端末６０２は前記パーソナリティの削除を確認する。一態様では、受信ＡＮが追加のパーソナリティのためのスペースを有し、なおかつ等価パーソナリティを有しない場合、行為６４０において、追加のパーソナリティインデックスをポピュレートするために、受信ＡＮ（たとえばＡＮ（１））とアクセス端末６０４との間のセッションネゴシエーションを実行する。さらに、行為６４０において、ハンドオフは完了し、アクセス端末６０２はＡＮ（１）６０４と通信する。
【００４３】
図７を参照すると、アクセスネットワーク間のアクセス端末ハンドオフを可能にするシステム７００が示されている。たとえば、システム７００は、少なくとも部分的に基地局、モバイルデバイスなどの内部に常駐することができる。別の例示的な態様によれば、システム７００は、少なくとも部分的にアクセス端末内に常駐することができる。システム７００は機能ブロックを含むものとして表されており、その機能ブロックは、プロセッサ、ソフトウェア、またはそれらの組合せ（たとえば、ファームウェア）によって実装される機能を表す機能ブロックとすることができることを諒解されたい。
【００４４】
システム７００は、連携して動作することができる手段の論理グルーピング７０２を含む。たとえば、論理グルーピング５０２は、第１のアクセスネットワーク（ＡＮ）においてアクセス端末からのアクセスチャネルメッセージを受信するための手段であって、アクセスチャネルメッセージが、第２のＡＮとアクセス端末との間の通信セッションに対応する情報を含み、通信セッションが、第２のＡＮとネゴシエートされたアクティブパーソナリティを少なくとも含む、受信するための手段（７０４）を含むことができる。たとえば、アクセスチャネルメッセージは、ユニキャストアクセス端末識別子（ＵＡＴＩ）、セッション構成トークン（ＳＣＴ）などのセッショントークンなどを含むことができる。さらに、セッショントークンを使用して、アクセス端末アクティブパーソナリティを受信ＡＮに中継することができる。さらに、論理グルーピング７０２は、第１のＡＮによって前にネゴシエートされた、アクセス端末に関連する少なくとも１つのパーソナリティを取得するための手段（７０６）を含むことができる。たとえば、受信ＡＮは、アクセス端末のＵＡＴＩを使用して、ＡＮとアクセス端末との間で前にネゴシエートされたパーソナリティについてパーソナリティのストアを探索することができる。
【００４５】
さらに、論理グルーピング７０２は、少なくとも１つのパーソナリティのうちの１つがアクティブパーソナリティと実質的に同様であるかどうかを判断するための手段（７０８）を備えることができる。さらに、論理グルーピング７０２は、少なくとも１つのパーソナリティのうちの１つがアクティブパーソナリティと実質的に同様であると判断されると、アクティブパーソナリティと実質的に同様のパーソナリティとともに通信セッションを第１のＡＮに転送するための手段（７１０）を備えることができる。たとえば、ハンドオフ受信ＡＮは、アクティブパーソナリティのための新しい通信セッションインデックスに切り替えることによってアクティブパーソナリティを維持するためのメッセージをアクセス端末に送信することができる。さらに、ハンドオフ受信ＡＮは、第２のＡＮとＡＴとの間の通信セッション中にインデックス付けされた実質的に同様の非アクティブパーソナリティを、第１のＡＮとＡＴとの間の転送された通信セッション中にインデックス付けされた非アクティブパーソナリティに再インデックス付けするメッセージをアクセス端末に送信することができる。さらに、アクセス端末はアクティブパーソナリティインデックス変更の肯定応答を送信することができる。
【００４６】
この情報に少なくとも部分的に基づいて、可能な通信セッションのためのオプションを推測することができる。さらに、システム７００は、手段７０４、７０６、７０８および７１０に関連する機能を実行するための命令を保持するメモリ７１２を含むことができる。メモリ７１２の外部にあるものとして図示されているが、１つまたは複数の手段７０４、７０６、７０８および７１０はメモリ７１２の内部に存在することができることを理解されたい。
【００４７】
図８を参照すると、一態様による多元接続ワイヤレス通信システムが示されている。アクセスポイント８００（ＡＰ）は複数のアンテナグループを含み、あるアンテナグループは８０４と８０６とを含み、別のアンテナグループはアンテナ８０８と８１０とを含み、追加のアンテナグループはアンテナ８１２と８１４とを含む。図８では、アンテナグループごとに２つのアンテナのみが示されているが、アンテナグループごとにより多いまたはより少ないアンテナが利用できる。アクセス端末８１６（ＡＴ）はアンテナ８１２および８１４と通信中であり、アンテナ８１２および８１４は、順方向リンク８２０上でアクセス端末８１６に情報を送信し、逆方向リンク８１８上でアクセス端末８１６から情報を受信する。アクセス端末８２２はアンテナ８０６および８０８と通信中であり、アンテナ８０６および８０８は、順方向リンク８２６上でアクセス端末８２２に情報を送信し、逆方向リンク８２４上でアクセス端末８２２から情報を受信する。ＦＤＤシステムでは、通信リンク８１８、８２０、８２４および８２６は、通信のための異なる周波数を使用することができる。たとえば、順方向リンク８２０は、逆方向リンク８１８によって使用される周波数とは異なる周波数を使用することができる。
【００４８】
アンテナの各グループ、および／またはアンテナが通信するために設計されたエリアは、しばしば、アクセスポイントのセクタと呼ばれる。本態様では、アンテナグループはそれぞれ、アクセスポイント８００によってカバーされるエリアのセクタ内でアクセス端末に通信するように設計される。
【００４９】
順方向リンク８２０および８２６上の通信では、アクセスポイント８００の送信アンテナは、異なるアクセス端末８１６および８２４に対して順方向リンクの信号対雑音比を改善するためにビームフォーミングを利用する。また、アクセスポイントが、ビームフォーミングを使用して、そのカバレージ中にランダムに分散されたアクセス端末に送信するほうが、アクセスポイントが単一のアンテナを介してすべてのそのアクセス端末に送信するよりも、隣接セル中のアクセス端末への干渉が小さくなる。
【００５０】
アクセスポイントは、端末との通信に使用される固定局とすることができ、アクセスポイント、ノードＢ、または何らかの他の用語で呼ばれることもある。アクセス端末は、アクセス端末、ユーザ機器（ＵＥ）、ワイヤレス通信デバイス、端末、アクセス端末または何らかの他の用語で呼ばれることもある。
【００５１】
図９を参照すると、ＭＩＭＯシステム９００における（アクセスポイントとしても知られる）送信機システム９１０および（アクセス端末としても知られる）受信機システム９５０の態様のブロック図が示されている。送信機システム９１０において、いくつかのデータストリームのトラフィックデータがデータソース９１２から送信（ＴＸ）データプロセッサ９１４に供給される。
【００５２】
一態様では、各データストリームは、それぞれの送信アンテナを介して送信される。ＴＸデータプロセッサ９１４は、符号化データを与えるために、そのデータストリーム用に選択された特定の符号化方式に基づいて各データストリームのトラフィックデータをフォーマッティングし、符号化し、インターリーブする。
【００５３】
各データストリームの符号化データは、ＯＦＤＭ技法を使用してパイロットデータで多重化できる。パイロットデータは、典型的には、知られている方法で処理され、チャネル応答を推定するために受信機システムにおいて使用できる知られているデータパターンである。次いで、各データストリームの多重化されたパイロットデータおよび符号化データは、変調シンボルを供給するために、そのデータストリーム用に選択された特定の変調方式（たとえば、ＢＰＳＫ、ＱＳＰＫ、Ｍ−ＰＳＫ、またはＭ−ＱＡＭ）に基づいて変調（すなわち、シンボルマッピング）される。各データストリームのデータレート、符号化、および変調は、プロセッサ９３０によって実行される命令によって決定される。
【００５４】
次いで、すべてのデータストリームの変調シンボルがＴＸ  ＭＩＭＯプロセッサ９２０に供給され、ＴＸ  ＭＩＭＯプロセッサ９２０はさらに（たとえば、ＯＦＤＭの場合）その変調シンボルを処理する。次いで、ＴＸ  ＭＩＭＯプロセッサ９２０はＮＴ個の変調シンボルストリームをＮＴ個の送信機（ＴＭＴＲ）９２２ａ〜９２２ｔに供給する。いくつかの態様では、ＴＸ  ＭＩＭＯプロセッサ９２０は、データストリームのシンボルと、シンボルが送信されているアンテナとにビームフォーミング重みを適用する。
【００５５】
各送信機９２２は、それぞれのシンボルストリームを受信し、処理して、１つまたは複数のアナログ信号を与え、さらに、それらのアナログ信号を調整（たとえば、増幅、フィルタ処理、およびアップコンバート）して、ＭＩＭＯチャネルを介して送信するのに適した変調信号を与える。次いで、送信機９２２ａ〜９２２ｔからのＮＴ個の変調信号は、それぞれ、ＮＴ個のアンテナ９２４ａ〜９２４ｔから送信される。
【００５６】
受信システム９５０では、送信された変調信号はＮＲ個のアンテナ９５２ａ〜９５２ｒによって受信され、各アンテナ９５２からの受信信号は、それぞれの受信機（ＲＣＶＲ）９５４ａ〜９５４ｒに供給される。各受信機９５４は、それぞれの受信信号を調整（たとえば、フィルタ処理、増幅、およびダウンコンバート）し、調整された信号をデジタル化して、サンプルを供給し、さらにそれらのサンプルを処理して、対応する「受信」シンボルストリームを供給する。
【００５７】
次いで、ＲＸデータプロセッサ９６０は、特定の受信機処理技法に基づいてＮＲ個の受信機９５４からＮＲ個の受信シンボルストリームを受信し、処理して、ＮＴ個の「検出」シンボルストリームを供給する。次いで、ＲＸデータプロセッサ９６０は、各検出シンボルストリームを復調し、デインタリーブし、復号して、データストリームに対するトラフィックデータを回復する。ＲＸデータプロセッサ９６０による処理は、送信機システム９１０におけるＴＸ  ＭＩＭＯプロセッサ９２０およびＴＸデータプロセッサ９１４によって実行される処理を補足するものである。
【００５８】
プロセッサ９７０は、どのプリコーディング行列（以下で論じる）を使用すべきかを定期的に判断する。プロセッサ９７０は、行列インデックス部とランク値部とを備える逆方向リンクメッセージを作成する。
【００５９】
逆方向リンクメッセージは、通信リンクおよび／または受信データストリームに関する様々なタイプの情報を備えることができる。次いで、逆方向リンクメッセージは、データソース９３６からいくつかのデータストリームのトラフィックデータをも受信するＴＸデータプロセッサ９３８によって処理され、変調器９８０によって変調され、送信機９５４ａ〜９５４ｒによって調整され、送信機システム９１０に戻される。
【００６０】
送信機システム９１０において、受信機システム９５０からの変調信号は、アンテナ９２４によって受信され、受信機９２２によって調整され、復調器９４０によって復調され、受信機システム９５０によって送信された逆方向リンクメッセージを抽出するためにＲＸデータプロセッサ９４２によって処理される。次いで、プロセッサ９３０は、ビームフォーミング重みを決定するためにどのプリコーディング行列を使用すべきかを決定し、次いで、抽出されたメッセージを処理する。
【００６１】
一態様では、論理チャネルは、制御チャネルとトラフィックチャネルとに分類される。論理制御チャネルは、システム制御情報をブロードキャストするためのＤＬチャネルであるブロードキャスト制御チャネル（ＢＣＣＨ）を備える。ページング制御チャネル（ＰＣＣＨ）は、ページング情報を転送するＤＬチャネルである。マルチキャスト制御チャネル（ＭＣＣＨ）は、１つまたは複数のＭＴＣＨについてのマルチメディアブロードキャストおよびマルチキャストサービス（ＭＢＭＳ）のスケジューリングおよび制御情報を送信するために使用されるポイントツーマルチポイントＤＬチャネルである。概して、ＲＲＣ接続を確立した後、このチャネルは、ＭＢＭＳ（注：古いＭＣＣＨ＋ＭＳＣＨ）を受信するＵＥによって使用されるだけである。専用制御チャネル（ＤＣＣＨ）は、専用制御情報を送信するポイントツーポイント双方向チャネルであり、ＲＲＣ接続を有するＵＥによって使用される。一態様では、論理トラフィックチャネルは、ユーザ情報を転送するための１つのＵＥに専用のポイントツーポイント双方向チャネルである専用トラフィックチャネル（ＤＴＣＨ）を備える。さらに、トラフィックデータを送信するためのポイントツーマルチポイントＤＬチャネルであるマルチキャストトラフィックチャネル（ＭＴＣＨ）を備える。
【００６２】
一態様では、トランスポートチャネルは、ＤＬとＵＬとに分類される。ＤＬトランスポートチャネルは、ブロードキャストチャネル（ＢＣＨ）と、ダウンリンク共有データチャネル（ＤＬ−ＳＤＣＨ）と、ＵＥ節電（ＤＲＸサイクルがネットワークによってＵＥに示される）をサポートするためのページングチャネル（ＰＣＨ）とを備え、これらのチャネルは、セル全体にわたってブロードキャストされ、他の制御／トラフィックチャネル用に使用できるＰＨＹリソースにマッピングされる。ＵＬトランスポートチャネルは、ランダムアクセスチャネル（ＲＡＣＨ）、要求チャネル（ＲＥＱＣＨ）、アップリンク共有データチャネル（ＵＬ−ＳＤＣＨ）、および複数のＰＨＹチャネルを備える。ＰＨＹチャネルは、ＤＬチャネルとＵＬチャネルとのセットを備える。
【００６３】
ＤＬ  ＰＨＹチャネルは以下を備える。
【００６４】
共通パイロットチャネル（ＣＰＩＣＨ）
同期チャネル（ＳＣＨ）
共通制御チャネル（ＣＣＣＨ）
共有ＤＬ制御チャネル（ＳＤＣＣＨ）
マルチキャスト制御チャネル（ＭＣＣＨ）
共有ＵＬ割当てチャネル（ＳＵＡＣＨ）
肯定応答チャネル（ＡＣＫＣＨ）
ＤＬ物理共有データチャネル（ＤＬ−ＰＳＤＣＨ）
ＵＬ電力制御チャネル（ＵＰＣＣＨ）
ページングインジケータチャネル（ＰＩＣＨ）
負荷インジケータチャネル（ＬＩＣＨ）
ＵＬ  ＰＨＹチャネルは以下を備える。
【００６５】
物理ランダムアクセスチャネル（ＰＲＡＣＨ）
チャネル品質インジケータチャネル（ＣＱＩＣＨ）
肯定応答チャネル（ＡＣＫＣＨ）
アンテナサブセットインジケータチャネル（ＡＳＩＣＨ）
共有要求チャネル（ＳＲＥＱＣＨ）
ＵＬ物理共有データチャネル（ＵＬ−ＰＳＤＣＨ）
ブロードバンドパイロットチャネル（ＢＰＩＣＨ）
一態様では、シングルキャリア波形の（所与の時間に、チャネルが周波数において連続するまたは一様に離間される）ＰＡＲ特性を低いまま保つチャネル構造を提供する。
【００６６】
本文書では、以下の略語を適用する。
【００６７】
ＡＭ            確認型モード
ＡＭＤ          確認型モードデータ
ＡＲＱ          Ａｕｔｏｍａｔｉｃ  Ｒｅｐｅａｔ  Ｒｅｑｕｅｓｔ
ＢＣＣＨ        ブロードキャスト制御チャネル
ＢＣＨ          ブロードキャストチャネル
Ｃ−            制御−
ＣＣＣＨ        共通制御チャネル
ＣＣＨ          制御チャネル
ＣＣＴｒＣＨ    符号化複合トランスポートチャネル
ＣＰ            巡回プレフィックス
ＣＲＣ          巡回冗長検査
ＣＴＣＨ        共通トラフィックチャネル
ＤＣＣＨ        専用制御チャネル
ＤＣＨ          専用チャネル
ＤＬ            ダウンリンク
ＤＳＣＨ        ダウンリンク共有チャネル
ＤＴＣＨ        専用トラフィックチャネル
ＦＡＣＨ        順方向リンクアクセスチャネル
ＦＤＤ          周波数分割複信
Ｌ１            Ｌａｙｅｒ１（物理層）
Ｌ２            Ｌａｙｅｒ４（データリンク層）
Ｌ３            Ｌａｙｅｒ４（ネットワーク層）
ＬＩ            長さインジケータ
ＬＳＢ          最下位ビット
ＭＡＣ          媒体アクセス制御
ＭＢＭＳ        マルチメディアブロードキャストマルチキャストサービス
ＭＣＣＨ        ＭＢＭＳポイントツーマルチポイント制御チャネル
ＭＲＷ          移動受信ウィンドウ
ＭＳＢ          最上位ビット
ＭＳＣＨ        ＭＢＭＳポイントツーマルチポイントスケジューリングチャネル
ＭＴＣＨ        ＭＢＭＳポイントツーマルチポイントトラフィックチャネル
ＰＣＣＨ        ページング制御チャネル
ＰＣＨ          ページングチャネル
ＰＤＵ          プロトコルデータユニット
ＰＨＹ          物理層
ＰｈｙＣＨ      物理チャネル
ＲＡＣＨ        ランダムアクセスチャネル
ＲＬＣ          無線リンク制御
ＲＲＣ          無線リソース制御
ＳＡＰ          サービスアクセスポイント
ＳＤＵ          サービスデータユニット
ＳＨＣＣＨ      共有チャネル制御チャネル
ＳＮ            シーケンス番号
ＳＵＦＩ        スーパーフィールド
ＴＣＨ          トラフィックチャネル
ＴＤＤ          時分割複信
ＴＦＩ          トランスポートフォーマットインジケータ
ＴＭ            透過型モード
ＴＭＤ          透過型モードデータ
ＴＴＩ          送信時間間隔
Ｕ−            ユーザ−
ＵＥ            ユーザ機器
ＵＬ            アップリンク
ＵＭ            確認なしモード
ＵＭＤ          確認なしモードデータ
ＵＭＴＳ        Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ
ＵＴＲＡ        ＵＭＴＳ  Ｔｅｒｒｅｓｔｒｉａｌ  Ｒａｄｉｏ  Ａｃｃｅｓｓ
ＵＴＲＡＮ      ＵＭＴＳ  Ｔｅｒｒｅｓｔｒｉａｌ  Ｒａｄｉｏ  Ａｃｃｅｓｓ  Ｎｅｔｗｏｒｋ
ＭＢＳＦＮ      マルチキャストブロードキャスト単一周波数ネットワーク
ＭＣＥ          ＭＢＭＳ調整エンティティ
ＭＣＨ          マルチキャストチャネル
ＤＬ−ＳＣＨ    ダウンリンク共有チャネル
ＭＳＣＨ        ＭＢＭＳ制御チャネル
ＰＤＣＣＨ      物理ダウンリンク制御チャネル
ＰＤＳＣＨ      物理ダウンリンク共有チャネル
さらに、たとえば、本態様は、基地局機能を有する進化型ノードＢ（ｅＮｏｄｅＢ）、ｅＮｏｄｅＢを含むネットワークであるＥｖｏｌｖｅｄ  ＵＭＴＳ  Ｔｅｒｒｅｓｔｒｉａｌ  Ｒａｄｉｏ  Ａｃｃｅｓｓ  Ｎｅｔｗｏｒｋ（Ｅ−ＵＴＲＡＮ）、Ｓｙｓｔｅｍ  Ａｒｃｈｉｔｅｃｔｕｒｅ  Ｅｖｏｌｕｔｉｏｎ（ＳＡＥ）コアとしても知られ、モビリティ管理エンティティ（ＭＭＥ）を介してＧＰＲＳネットワークの等価物として働く進化型パケットコア（ＥＰＣ）、サービングゲートウェイ（Ｓ−ＧＷ）およびパケットデータノード（ＰＤＮ）ゲートウェイ下位構成要素などの構成要素を含むＬｏｎｇ  Ｔｅｒｍ  Ｅｖｏｌｕｔｉｏｎ（ＬＴＥ）システムに適用できる。
【００６８】
ＭＭＥはＬＴＥアクセスネットワークのための制御ノードである。ＭＭＥは、アイドルモードＵＥの追跡プロシージャと、再送信を含むページングプロシージャとを受け持つ。ＭＭＥは、ベアラ活動化／非活動化プロセスに関与し、また、初期接続時およびコアネットワーク（ＣＮ）ノード再配置を含むＬＴＥ内ハンドオーバ時にＵＥ用のＳＧＷを選択することを受け持つ。ＭＭＥは（ＨＳＳと対話することによって）ユーザを認証することを受け持つ。非アクセス層（ＮＡＳ）シグナリングはＭＭＥにおいて終了し、ＭＭＥはまた、ＵＥに対する一時的識別情報の生成および割振りを受け持つ。ＭＭＥは、サービスプロバイダのパブリックランドモバイルネットワーク（ＰＬＭＮ）上にキャンプするためのＵＥの許可を調べ、ＵＥローミング制限を執行する。ＭＭＥは、ＮＡＳシグナリングの暗号化／完全性保護のためのネットワーク中の終了ポイントであり、セキュリティキー管理を扱う。シグナリングの合法的傍受もＭＭＥによってサポートされる。ＭＭＥはまた、ＬＴＥアクセスネットワークと４Ｇ／３Ｇアクセスネットワークと間のモビリティのための制御プレーン機能に、ＳＧＳＮからの、ＭＭＥにおいて終了するＳ３インターフェースを与える。ＭＭＥはまた、ローミングＵＥ用のホームＨＳＳへのＳ６ａインターフェースを終了する。
【００６９】
ＳＧＷは、ｅＮｏｄｅＢ間ハンドオーバ中のユーザプレーンのためのモビリティアンカー、およびＬＴＥと他の４ＧＰＰ技術との間のモビリティのためのアンカー（Ｓ４インターフェースを終了し、４Ｇ／３ＧシステムとＰＤＮ  ＧＷとの間のトラフィックを中継する）としても働きながら、ユーザデータパケットをルーティングし、フォワーディングする。アイドル状態ＵＥの場合、ＳＧＷは、ＤＬデータ経路を終了し、ＵＥのためのＤＬデータが到着したときページングをトリガする。ＳＧＷは、ＵＥコンテキスト、たとえばＩＰベアラサービスのパラメータ、ネットワーク内部ルーティング情報を管理し、記憶する。ＳＧＷはまた、合法的傍受の場合のユーザトラフィックの複製を実行する。
【００７０】
ＰＤＮ  ＧＷは、ＵＥのためのトラフィックの出入口のポイントとなることによって、ＵＥに外部パケットデータネットワークへの接続性を与える。ＵＥは、複数のＰＤＮにアクセスするために、２つ以上のＰＤＮ  ＧＷとの同時接続性を有することができる。ＰＤＮ  ＧＷは、ポリシー執行、各ユーザ用のパケットフィルタリング、課金サポート、合法的傍受およびパケットスクリーニングを実行する。ＰＤＮ  ＧＷの別の役割は、ＷｉＭＡＸと４ＧＰＰ２（ＣＤＭＡ１ＸおよびＥｖＤＯ）など、４ＧＰＰ技術と非３ＧＰＰ技術との間のモビリティのためのアンカーとして働くことである。
【００７１】
本出願で使用する「構成要素」、「モジュール」、「システム」などの用語は、限定はしないが、ハードウェア、ファームウェア、ハードウェアとソフトウェアの組合せ、ソフトウェア、または実行中のソフトウェアなど、コンピュータ関連のエンティティを含むものとする。たとえば、構成要素は、プロセッサ上で実行されるプロセス、プロセッサ、オブジェクト、実行可能ファイル、実行スレッド、プログラム、および／またはコンピュータとすることができるが、これらに限定されない。例として、コンピューティングデバイス上で実行されるアプリケーションと、そのコンピューティングデバイスの両方を構成要素とすることができる。１つまたは複数の構成要素がプロセスおよび／または実行スレッド内に常駐することができ、１つの構成要素を１つのコンピュータ上に配置し、および／または２つ以上のコンピュータ間に分散することができる。さらに、これらの構成要素は、様々なデータ構造を記憶している様々なコンピュータ可読媒体から実行することができる。これらの構成要素は、ローカルシステム、分散システム、および／または他のシステムを用いるインターネットなどのネットワーク全体の中の別の構成要素と信号を介して対話する１つの構成要素からのデータなど、１つまたは複数のデータパケットを有する信号によるなど、ローカルプロセスおよび／またはリモートプロセスを介して通信することができる。
【００７２】
さらに、本明細書では、ワイヤード端末またはワイヤレス端末とすることができる端末に関する様々な態様について説明する。端末は、システム、デバイス、加入者ユニット、加入者局、移動局、モバイル、モバイルデバイス、リモート局、リモート端末、アクセス端末、ユーザ端末、端末、通信デバイス、ユーザエージェント、ユーザデバイス、またはユーザ機器（ＵＥ）と呼ばれることもある。ワイヤレス端末は、セルラー電話、衛星電話、コードレス電話、セッション開始プロトコル（ＳＩＰ）電話、ワイヤレスローカルループ（ＷＬＬ）局、携帯情報端末（ＰＤＡ）、ワイヤレス接続機能を有するハンドヘルドデバイス、コンピューティングデバイス、またはワイヤレスモデムに接続された他の処理デバイスとすることができる。さらに、本明細書では基地局に関する様々な態様について説明する。基地局は、（１つまたは複数の）ワイヤレス端末と通信するために利用でき、アクセスポイント、ノードＢ、または何らかの他の用語で呼ばれることもある。
【００７３】
さらに、「または」という用語は、排他的な「または」ではなく、包括的な「または」を意味するものとする。すなわち、別段の規定がない限り、または文脈から明白でない限り、「ＸはＡまたはＢを使用する」という句は、自然な包括的置換のいずれかを意味するものとする。つまり、「ＸはＡまたはＢを使用する」という句は、ＸがＡを使用する場合、ＸがＢを使用する場合、またはＸがＡとＢの両方を使用する場合のいずれによっても満たされる。さらに、本出願および添付の特許請求の範囲で使用する冠詞「ａ」および「ａｎ」は、別段の規定がない限り、または単数形を示すことが文脈から明白でない限り、概して「１つまたは複数」を意味するものと解釈すべきである。
【００７４】
本明細書で説明する技法は、ＣＤＭＡ、ＴＤＭＡ、ＦＤＭＡ、ＯＦＤＭＡ、ＳＣ−ＦＤＭＡおよび他のシステムなど、様々なワイヤレス通信システムに使用できる。「システム」および「ネットワーク」という用語は、しばしば互換的に使用される。ＣＤＭＡシステムは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００などの無線技術を実装することができる。ＵＴＲＡは、Ｗｉｄｅｂａｎｄ−ＣＤＭＡ（Ｗ−ＣＤＭＡ）およびＣＤＭＡの他の変形態を含む。さらに、ｃｄｍａ２０００は、ＩＳ−２０００、ＩＳ−９５およびＩＳ−８５６規格をカバーする。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））などの無線技術を実装することができる。ＯＦＤＭＡシステムは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１１（ＷｉＦｉ）、ＩＥＥＥ８０２．１６（ＷｉＭＡＸ）、ＩＥＥＥ８０２．２０、Ｆｌａｓｈ−ＯＦＤＭ  などの無線技術を実装することができる。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。４ＧＰＰ  Ｌｏｎｇ  Ｔｅｒｍ  Ｅｖｏｌｕｔｉｏｎ（ＬＴＥ）は、ダウンリンク上ではＯＦＤＭＡを採用し、アップリンク上ではＳＣ−ＦＤＭＡを採用するＥ−ＵＴＲＡを使用するＵＭＴＳのリリースである。ＵＴＲＡ、Ｅ−ＵＴＲＡ、ＵＭＴＳ、ＬＴＥおよびＧＳＭ（登録商標）は、「３ｒｄ  Ｇｅｎｅｒａｔｉｏｎ  Ｐａｒｔｎｅｒｓｈｉｐ  Ｐｒｏｊｅｃｔ」（３ＧＰＰ）と称する組織からの文書に記載されている。さらに、ｃｄｍａ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ４」（３ＧＰＰ２）と称する組織からの文書に記載されている。さらに、そのようなワイヤレス通信システムは、不対無資格スペクトル、８０２．ｘｘワイヤレスＬＡＮ、ＢＬＵＥＴＯＯＴＨ（登録商標）および任意の他の短距離または長距離ワイヤレス通信技法をしばしば使用するピアツーピア（たとえば、モバイルツーモバイル）アドホックネットワークシステムをさらに含むことができる。
【００７５】
様々な態様または特徴は、いくつかのデバイス、構成要素、モジュールなどを含むことができるシステムに関して提示される。様々なシステムは、追加のデバイス、構成要素、モジュールなどを含んでもよく、および／または各図に関連して論じるデバイス、構成要素、モジュールなどのすべてを含まなくてもよいことを理解および諒解されたい。これらの手法の組合せを使用することもできる。
【００７６】
本明細書で開示した態様に関して説明した様々な例示的な論理、論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書に記載の機能を実行するように設計されたそれらの任意の組合せを用いて実装または実行できる。汎用プロセッサはマイクロプロセッサとすることができるが、代替として、プロセッサは任意の従来のプロセッサ、コントローラ、マイクロコントローラ、または状態機械とすることができる。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装することもできる。さらに、少なくとも１つのプロセッサは、上述のステップおよび／またはアクションの１つまたは複数を実行するように動作可能な１つまたは複数のモジュールを備えることができる。
【００７７】
さらに、本明細書で開示した態様に関して説明した方法またはアルゴリズムのステップおよび／またはアクションは、直接ハードウェアで実施するか、プロセッサによって実行されるソフトウェアモジュールで実施するか、またはその２つの組合せで実施することができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体中に常駐することができる。例示的な記憶媒体は、プロセッサが記憶媒体から情報を読み取り、記憶媒体に情報を書き込むことができるようにプロセッサに結合できる。代替として、記憶媒体はプロセッサに一体化することができる。さらに、いくつかの態様では、プロセッサおよび記憶媒体はＡＳＩＣ中に常駐することができる。さらに、ＡＳＩＣはユーザ端末中に常駐することができる。代替として、プロセッサおよび記憶媒体は、ユーザ端末中に個別構成要素として常駐することができる。さらに、いくつかの態様では、方法またはアルゴリズムのステップおよび／またはアクションは、コンピュータプログラム製品に組み込むことができる、機械可読媒体および／またはコンピュータ可読媒体上のコードおよび／または命令の１つまたは任意の組合せ、あるいはそのセットとして常駐することができる。
【００７８】
１つまたは複数の態様では、説明した機能を、ハードウェア、ソフトウェア、ファームウェア、またはそれらの任意の組合せで実装することができる。ソフトウェアで実装する場合、機能は、１つまたは複数の命令またはコードとしてコンピュータ可読媒体上に記憶するか、あるいはコンピュータ可読媒体上で送信することができる。コンピュータ可読媒体は、ある場所から別の場所へのコンピュータプログラムの転送を可能にする任意の媒体を含む、コンピュータ記憶媒体と通信媒体の両方を含む。記憶媒体は、コンピュータによってアクセスできる任意の利用可能な媒体とすることができる。限定ではなく例として、そのようなコンピュータ可読媒体は、ＲＡＭ、ＲＯＭ、ＥＥＰＲＯＭ、ＣＤ−ＲＯＭもしくは他の光ディスク記憶装置、磁気ディスク記憶装置もしくは他の磁気記憶デバイス、または命令もしくはデータ構造の形態の所望のプログラムコードを担持または記憶するために使用でき、コンピュータによってアクセスできる任意の他の媒体を備えることができる。また、どんな接続でもコンピュータ可読媒体と呼ばれることがある。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイディスク（disc）を含み、ディスク（disk）は、通常、データを磁気的に再生し、ディスク（disc）は、通常、データをレーザで光学的に再生する。上記の組合せもコンピュータ可読媒体の範囲内に含めるべきである。
【００７９】
上記の開示は、例示的な態様および／または実施形態について論じたが、添付の特許請求の範囲によって定義された記載の態様および／または実施形態の範囲から逸脱することなく、様々な変更および改変を本明細書で行うことができることに留意されたい。さらに、記載の態様および／または実施形態の要素は、単数形で説明または請求されていることがあるが、単数形に限定することが明示的に述べられていない限り、複数形が企図される。さらに、任意の態様および／または実施形態の全部または一部は、別段の規定がない限り、任意の他の態様および／または実施形態の全部または一部とともに利用できる。
【図１】
2011524685.tif 000003
【図２】
2011524685.tif 000004
【図３】
2011524685.tif 000005
【図４】
2011524685.tif 000006
【図５】
2011524685.tif 000007
【図６】
2011524685.tif 000008
【図７】
2011524685.tif 000009
【図８】
2011524685.tif 000010
【図９】
2011524685.tif 000011
【国際調査報告】
2011524685.tif 000012
2011524685.tif 000013
2011524685.tif 000014